(57)【要約】      （修正有）【課題】ボールの転動距離を抑制しフロアゴルフ等が楽しめるボール組立体を提供する。【解決手段】ゴルフボールＧｂを大径スライダー４の内部に配置し、床面等での転がり具合をボール単体の時に比べ１／１０以下に適宜制動抑制したボール組立体であって、該組立体における装着ボールの転動に伴って組立体がボールＧｂで牽引されるように構成する。組立体摺動縁部を円弧状とした大径スライダー４の内部にゴルフボールＧｂを配置し、床面滑走時の段差乗り等の諸課題を克服する。【選択図】図６
2014180307.tif 000002
【特許請求の範囲】
【請求項１】
上部、胴部、底部、及びゴルフボールを備えたボール組立体であって、
（１）胴部は、前記ボール直径より大径に形成したこと、
（２）底部は、前記胴部外径より大径とし、該底面中央部にボール直径より小径の底穴を設け、且つ、該底面外周縁を摺動部とすると共に、該摺動外周縁部が上部外側に向かって傾斜する円弧形状に形成したこと、
（３）上部は、ボール直径より小径で開口形成、又はドーム状に形成したこと、
（４）前記底部、胴部、上部で形成された内部にボールを転動自在に装着形成したこと、
以上（１）〜（４）の各項を具備したことを特徴とするゲーム用ボール組立体。
【請求項２】
前記胴部と前記上部とを一つに合体形成すると共に、該胴部と前記底部間の接合部に、ねじ、又は凸部を形成して夫々の嵌合着脱が可能なように形成したこと、
を特徴とする請求項１に記載のゲーム用ボール組立体。
【請求項３】
前記底部と前記胴部とを一つに合体形成すると共に、該胴部と前記上部間の接合部に、ねじ、又は凸部を形成して夫々の嵌合着脱が可能なように形成したこと、
を特徴とする請求項１に記載のゲーム用ボール組立体。
【請求項４】
少なくとも、前記胴部は弾力性を有するゴム素材で形成、又は該ゴム素材で被覆形成したこと、
を特徴とする請求項１に記載のゲーム用ボール組立体。
【請求項５】
前記底部と前記胴部とを一つに合体した態様により、弾力性を有するゴム素材で形成すると共に、前記底部における底面外周縁摺動部、及び上部を別体としてプラスチック素材で形成したこと、
を特徴とする請求項１に記載のゲーム用ボール組立体。
【請求項６】
前記底部を前記胴部外径より大径とし、該底面中央部にボール直径より小径の底穴を設け、且つ、該底面の外周縁における摺動部は円弧状に突起した少なくとも３個以上の摺動部材を所定間隔で配設して摺動部を形成したこと、
を特徴とする請求項１に記載のゲーム用ボール組立体。
【請求項７】
前記底部は、底面外周縁の摺動部外径寸法を７０〜１００ｍｍに形成したこと、
を特徴とする請求項１に記載のゲーム用ボール組立体。
【発明の詳細な説明】
【技術分野】
【０００１】
本発明は、床面では転がりが良過ぎるゴルフボールをボール組立体に装着して適宜制動される構成とし、各種の屋内ゲーム用遊具に供し得るボール組立体の新規提案である。
【背景技術】
【０００２】
現在の高齢化社会にあって、老人ホームや避難所等の狭い屋内床面を利用して老若男女が手軽にボールゲームを楽しめる遊具は、現在、皆無な状況である。そこで、本願発明は前記現状環境に鑑みて、野外での運動活動が困難な恵まれない状況下の人達を含め、体を動かして運動不足を解消し乍ら、身心のリフレッシュを図るのに最適な新規性を備えた屋内用遊具の提唱を意図する。
本願では広く普及しているゴルフボールを用い、該ボールを屋内床面でのゲーム用に適用する際に先ず課題となるのが、床面での“ボール転がりが良過ぎる課題”である。本願ではゲーム用に適合するように、該転がり課題を含めた諸技術課題を解消するため前記ボール組立体内部におけるボールの転動摩擦や組立体における床面との摺動滑走時の摺動摩擦抵抗の制動作用を検討最適化し、合せてゲーム用とするための諸課題の解消克服を図る。
【０００３】
ゴルフボール（以下本願では、ゴルフボールのことを単にボールと称して説明することもある）を床面に転動させた場合、転がりが良過ぎることが支障となり該ボール担体のままでは屋内ゲームに供し得ないことは周知の通りである。そこで、ボール担体におけるボール転がり具合を適正化させるボール構造として、例えば、下記特許文献１にはボール内部に粒状の錘を封入した特殊ボール構造が示され、また下記特許文献２にはボール表面にゴム素材で吸盤を形成した構造のものが開示されている。
更に、特許文献３には「ゴルフ用パター練習ボール器具」の名称で本願に類似した外観構造のものが開示されており、特に特許文献３からの図面を図１０に引用図示して本願発明構成との違いについて以下に詳細記載説明する。
【先行技術文献】
【特許文献】
【０００４】
【特許文献１】特開２００３−１０２８７２号公報
【特許文献２】登録実用新案第３０２９６２５号公報
【特許文献３】特許第３９９５１６０号公報
【０００５】
さて、前記したように特許文献１の特開２００３−１０２８７２号公報には「スポーツ玩具用ボール」として、ボール内部に粒状の砂等を封入して床面でのボール転がり具合を緩慢にするためのボール構造が示されている。また、特許文献２の登録実用新案第３０２９６２５号公報の「パター練習用ゴルフボール」では、ボールの球体面にゴム製吸盤を形成加工し、ボールの転がり具合を制限するようにしたパター練習用のゴルフボールが開示されている。
【０００６】
そして、本願発明構成と係わりのある前記特許文献３の特許第３９９５１６０号公報における「ゴルフ用パター練習ボール器具」に関し、本願発明における各実施例の構成との違いを明らかにするため、特許文献３に開示されている構成図面を図１０に忠実引用掲載し、以下に該開示技術による課題を含め本願構成との違いを明らかにする。
前記特許文献３から引用した図１０（なお、本願符合と区別するため、引用図の符号頭に「０」を付した）では、実施形態図として示されている図０１、図０２は中央に穴を設けた円板０３に対して筒状部０１または半球部０２を立設し、該内部にゴルフボール等を用いて転動を許容するように収納した構成とされている。
【０００７】
しかし、前記特許文献３から引用した図１０の各図における中央に穴を設けた円板０３の厚さ寸法、直径、外周縁に関することは各図面の説明記載がなく、実施形態の詳細は不詳である。然るに、例えば円板０３と称すものが厚さを有する例えば、ＣＤ（Φ１２、Φ８ｃｍ、ｔ＝１．２ｍｍ）板の如きものと想定し、文献３の開示図面の実施形態で本出願人が実際に試作実験した結果では、パター練習用を前提として段差の無い平滑床面でのパッティング転動（滑走）の実験結果では、パター練習用としての機能目的は一応果せる。
しかし、図１０に基づく構成により住宅床面に、例えば１ｍｍ位の段差がある接合床面や畳縁（たたみべり）で滑走（転動）させた場合、前記円板０３の摺動縁（エッジ部）が前記段差部に当接された際は僅かな段差が乗り越えられず、所謂、引っ掛かりが生じて滑走（転動）停止されてしまう課題がある。
【０００８】
前記特許文献３による開示技術では、本願明細書で各実施例と共に具体的に後述する本願発明が狙いとするようなゲーム用遊具としての機能目的は果たせないのである。本願発明の「ゲーム用ボール組立体ＧＢＫ」（以下の説明では、「ゲーム用ボール組立体ＧＢＫ」のことを単にボール組立体、又はＧＢＫと称して説明することもある）では、屋内ゲーム用としての目的を達成する手段として前記特許文献３における課題を含め、該ボールをボール組立体に装着構成して特に該ボールをゲーム用とするための諸課題の解消克服を図ることを前提とする。
即ち、該ボール組立体における装着ボールの滑走（転動）に伴う内部での摺動摩擦抵抗及び組立体底面摺動部における平坦面との摺動摩擦効果を利用して、適宜制動化を図ってボールの転がり及び組立体としての滑走具合の最適化を図り、トータルとしてゴルフボール担体のボール転がりに対しＧＢＫ滑走状況を略１０:１程度に制動抑制する構成とする。併せて、本願ＧＢＫをゲーム用に充当するための難関課題は床面滑走時の段差乗越であり、該課題解消のため、ボール組立体の底面摺動部における摺動外周縁部を上部外側に向かって傾斜する円弧形状で形成（図３ａ参照）し、前記段差課題を含めた諸課題の解消克服を図る。
前記諸課題の一掃を図った本願ゲーム用ＧＢＫは、野外での運動活動が困難な状況下の人達、老人ホーム住いの人達を含む老若男女が、狭い屋内床面を利用して手軽に屋内で体を動かし、運動不足を解消し乍ら身心のリフレッシュを図る屋内遊具として最適ユニークな新規性を備えた遊具の提唱を目的意図するものである。
【発明の概要】
【発明が解決しようとする課題】
【０００９】
前記特許文献３では、引用図１０に示すように中央に穴を設けた円板０３と、該円板上に立設した本体筒状部０１や半球状部０２は上端開口の儘の態様でゴルフボールを該内側に載置（収納）したのみの構成を特許にした発明である。収納ボールの飛出し課題や底面に設けた円板における摺動滑走時の段差課題等に対応した図面や言及は一切なされてないのである。
そこで初めに、前記特許文献３の開示技術における課題解消をも含め本願発明ＧＢＫが狙いとするゲーム用への充当には、下記四つの重要課題を解消克服する必要がある。即ち、
第一：胴部からのボール飛出（防止）課題、第二：ボール転がり抑制（制動）課題、
第三：打撃滑走時の横転（防止）課題、第四：床面滑走時の段差乗越え課題、である。
以下に、前記特許文献３の開示技術を含め、特に本願発明が狙いとするゲーム用を前提とした課題絡みで更に以下に詳細説明する。
【００１０】
前記特許文献３の特許第３９９５１６０号公報に基づいた開示技術は、明細書に記載されている通り「ゴルフ用パター練習ボール器具」であって、本願発明が狙いとするような前記屋内床面でのゲーム用遊具を目的としたものではないが、仮に前記特許文献３の開示技術を本願発明が狙いとするゲーム用に充当した際の前記四つの重要課題との関係について以下に参考記載する。
第一：胴部からのボール飛出（防止）課題、について説明する。
前記特許文献３からの引用図１０の図０１、図０２に示されている構成では、本体筒状部０１や半球状部０２に収納されたゴルフボール４がゲーム時に飛出す課題があり、ゲーム用には適さない。
第二：ボール転がり抑制（制動）課題、について説明する。
引用図１０における図０１、図０２に示されている構成では、本体筒状部０１や半球状部０２に収納されたゴルフボール４が本体筒状部０１や半球状部０２内部での転動摺動摩擦や、円板０３底面が床面との摺動摩擦を受けてゴルフボール転がりが抑制されるので、前記２項に係わる初期発明目的が果せる構成である。
【００１１】
第三：打撃滑走時の横転（防止）課題、について説明する。
引用図１０における図０１、図０２に示されている構成は、本体筒状部０１や半球状部０２の下部に、中央に穴を設けた円板０３が本体筒状部０１や半球状部０２より大径の円板０３図面が示されており、打撃滑走時の横転が防止されて解消が図れる。
第四：床面滑走時の段差乗越え課題、について説明する。
引用図１０における図０１、図０２における円板０３の外周縁の儘でボール０４を転動滑走した際は、床板接合部における僅かな接合部の床面段差（１ｍｍ前後）や、畳間では畳縁（たたみべり）に前記円板の外周の摺動縁（エッジ部）が引っ掛かって転動停止されることになり、前記床面滑走時の段差乗越え課題の重要課題が未解決の儘であり前記開示技術の構成ではゲーム用の目的には供し得ない。
【００１２】
そこで、更に前記床面段差課題絡みで予め参考補足説明すると、後述する本願のゲーム実施例図９を一見参照すると自明なように、例えば、図９に基づいてフロアゴルフ（パターゲーム）等を行う場合は、前記ＣＤ板裏面に滑り防止材等を貼着（トータル厚さ：１．２ｍｍ＋滑止材≒２ｍｍ厚段差）した状態のものをターゲットプレートＴＰとして用いる。従って、ゲーム用ＧＢＫ床面の滑走時は前記ターゲットプレートの略２ｍｍ段差をＧＢＫが乗越える機能構成が必要となる。該課題解消のため前記ＧＢＫ底面摺動縁部は実施例図面と共に詳細後述するような構成により、底部の外周縁部を大径に形成すると共に、該外周縁部を上部外側に向かって傾斜する円弧形状としたスライダー４の形成(図３ｇ参照)で課題解消を図り摺動部の機能目的を達成したものである。
本願ＧＢＫでは、当初から屋内床面でのゲーム用を前提として前記四大課題を掲げて、前記諸解消克服のため先ず機能実験モデルを用いて先ず床面での実験検証結果を行い、前記各課題を順次に解消し乍ら、屋内床面でのゲーム用ＧＢＫの具現化を図ったものである。以下にゲーム用ＧＢＫに仕上げた各実施例図面に基づいて説明する。
【課題を解決するための手段】
【００１３】
前記課題解決のため、本発明に係る「ゲーム用ボール組立体ＧＢＫ」では以下の第1〜第６発明のように形成する。                                                          
第1発明ボール組立体は、上部、胴部、底部、及びゴルフボールを備えたボール組立体であって、（１）胴部は、前記ボール直径より大径に形成したこと、（２）底部は、前記胴部外径より大径とし、該底面中央部にボール直径より小径の底穴を設け、且つ、該底面外周縁を摺動部とすると共に、該摺動外周縁部が上部外側に向かって傾斜する円弧形状に形成したこと、（３）上部は、ボール直径より小径で開口形成、又はドーム状に形成したこと、
（４）前記底部、胴部、上部で形成された内部にボールを転動自在に装着形成したこと、
以上（１）〜（４）の各項を具備したことを特徴とするゲーム用ボール組立体（図３の実施例１〜図７の実施例４）である。
【００１４】
第２発明のボール組立体は、前記第１発明のボール組立体において下記のように形成する。
ボール組立体における前記胴部と前記上部とを一つに合体形成すると共に、該胴部と前記底部間の接合部に、ねじ、又は凸部を形成して夫々の嵌合着脱が可能なように形成したこと、を特徴とするゲーム用ボール組立体（図４及び図５の実施例２）である。
【００１５】
第３発明のボール組立体は、前記第１発明のボール組立体において下記のように形成する。
ボール組立体における前記底部と前記胴部とを一つに合体形成すると共に、該胴部と前記上部間の接合部に、ねじ、又は凸部を形成して夫々の嵌合着脱が可能なように形成したこと、を特徴とするゲーム用ボール組立体（図６の実施例３）である。
【００１６】
第４発明のボール組立体は、前記第１発明のボール組立体において下記のように形成する。
ボール組立体における少なくとも、前記胴部は弾力性を有するゴム素材で形成、又は該ゴム素材で被覆形成したこと、を特徴とするゲーム用ボール組立体（図３の実施例１〜図７の実施例４）である。
【００１７】
第５発明のボール組立体は、前記第１発明のボール組立体において下記のように形成する。
ボール組立体における前記底部と前記胴部とを一つに合体した態様により、弾力性を有するゴム素材で形成すると共に、前記底部における底面外周縁摺動部、及び上部を別体としてプラスチック素材で形成したこと、
を特徴とする請求項１に記載のゲーム用ボール組立体(図７の実施例４)である。
【００１８】
第６発明のボール組立体は、前記第１発明のボール組立体において下記のように形成する。
ボール組立体における前記底部を前記胴部外径より大径とし、該底面中央部にボール直径より小径の底穴を設け、且つ、該底面の外周縁における摺動部は円弧状に突起した少なくとも３個以上の摺動部材を所定間隔で配設して摺動部を形成したこと、を特徴とするゲーム用ボール組立体（図７の実施例４）である。
【００１９】
第７発明のボール組立体は、前記第１発明のボール組立体において下記のように形成する。
ボール組立体における前記底部は、底面外周縁の摺動部外径寸法を７０〜１００ｍｍに形成したこと、を特徴とするゲーム用ボール組立体（図３の実施例１〜図７の実施例４）である。
【発明の効果】
【００２０】
本願発明のＧＢＫの発明効果に関しては、図３の実施例１〜図７の実施例４、及び図９に参考添付したＧＢＫによる具体的ゲーム実施例を含め、前記各実施例の説明と関連して適宜随所に記載した通りである。以下にそれら主特徴効果を纏めて列記する。
（１）現在の高齢化社会にあって、老人ホーム、避難所等での狭い屋内床面等を活用して体を動かし乍ら、ゲームが楽しめるボール式遊具は現在皆無な状況である。そこで、本願発明ＧＢＫは現状下の環境に鑑み、外出困難者や高齢者らを含む老若男女らに下記のような使用効果が発揮される新規性に富んだゴルフボール利用の屋内ゲーム用遊具を提唱する。即ち、屋内でゲームを楽しみ乍ら特定区間を歩行移動し、車椅子（パター使用）でＧＢＫを追っ掛け移動しつつ体を動かすことで運動不足の解消が図り、併せてストレス発散、心身のリフレッシュ、ゲームに頭を使うことで認知症予防効果への期待もできる画期的な屋内ゲーム遊具である。
（２）本願発明に基づくＧＢＫは、普及しているカラフルで綺麗なカラーゴルフボールを装着したユニークな外観デザインＧＢＫに基づき、図９に例示した如きフロアゴルフ、カーリングゲーム等、フロア面が略３ｍ×３ｍ位のスペースさえあれば、我が家の床面で特にオジーやオバーが孫らと、更には家族皆で和気藹々と気軽に楽しめ、身心をリフレッシュしつつ、ゲームを楽しむのに正にピタリの新規性を備えた屋内ゲーム用遊具提案である。
【００２１】
（３）しかし、ゴルフボールを床面に転動させた際は周知のように転がりが良過ぎるのであり、ボール担体では全く床面ゲームには供し得ない基本的課題があった。更に、本願が狙いとする前記屋内ゲーム用のＧＢＫは、前記特許文献３の開示技術を含め、本願発明ＧＢＫが狙いとするゲーム用に充当する際の難関課題であった床面滑走時の段差乗越え課題は、前記各実施例と共に詳細説明したように床面との摺動縁外周部の形状に関し、上部外側に向かって傾斜する一部断面を円弧形状で形成した要部構成発明により、前記四つの重要課題を一掃して良好に初期発明目的を果たし得たものである（図３の実施例１〜図７の各実施例４、及び図９のゲーム用実施例）。
【００２２】
（４）ＧＢＫを用いた代表的ゲーム例について、図９と共に図解説明したゲーム形式によるフロアゴルフ、カーリングゲームを初め、ボーリング、台上でのビリヤード形式による玉突き競技形式のゲーム等、ＧＢＫ活用による更に多種ゲームへの工夫展開が図れる。
（５）従来、ゴルフボールを用いて所謂パッティング練習を屋内フロアで行う場合は、縦長の穴付き帯状マットで傾斜面を形成してパター練習を行っていた。本ＧＢＫによるパッティング練習時は態々帯状マットを床面に敷設する必要がなく、図９に示したゲーム形式のように、例えば、二つのターゲットプレートＴＰを適宜床面２ヶ所に離間配置し、該ＴＰ間を往復、又は床面に複数配設したターゲットプレートＴＰを楽しみ乍ら移動し、パッティング練習が行える。そして、ＧＢＫによるパッティング練習を実際のグリーン面のような平坦面での実戦的パッティング練習が効果的に行える特徴がある（図９ゲーム実施例参照）。
（６）前記特許文献３の「ゴルフ用パター練習ボール器具」の開示技術構成と本願ＧＢＫ構成とを単にパッティング練習用として、性能比較した効果の違いについて説明する。前記特許文献３では引用図１０のように、本体筒状部０１や半球状部０２（何れも上端開口）は単にゴルフボールを載置収納した構成のため、打ち損じや移動時等にボールが飛び出す基本課題があった。更に前記開示技術には前記課題指摘した摺動円板０３外周エッジ部が床面接合部の一寸の段差や、畳縁（たたみべり）での引っ掛かり課題のため練習床面の平滑性が必要とされ、パター練習用としての基本性能が不十分であった。本願発明のＧＢＫは前記ゲーム用としての前記四大課題を良好に課題解消したものである点。
【００２３】
（７）然るに、前記記載内容を踏まえ本発明のＧＢＫをパッティング練習用とする場合の特徴点は、床の接合面における段差課題や畳縁（たたみべり）で引っ掛かり課題解消は万全である。従って、パター練習用としての打撃時の転がりの滑走スピードが抑制最適化され、且つパッティング時のＧＢＫは打撃方向に直進滑走される特性特徴から、打撃方向のコントロール技術向上を図るパター練習用としても最適効果が発揮される。更に図３の実施例１、図６の実施例３、図７の実施例４のようにＧＢＫ胴部に弾力クッション効果を備えたゴム素材のエラストマーで加工成形するか、該素材で被覆したＧＢＫ胴部（図６の図ｆ参照）は、ゴルフ用のスチール製パターで強打衝撃した際にも該エラストマーのクッション効果で衝撃が吸収されて胴部が保護されると共にパッティング打撃時の感触効果も最適なものとなる。なお、エラストマーの代りに天然ゴムを用いてもよい。
（８）本願ＧＢＫは、前記図３の実施例１〜図７の実施例４に要部構成を図示説明したように何れの実施例でも上記６項の公知技術課題を解消し、図９の添付図に示したフロアゴルフやカーリングゲーム等に、ＧＢＫを充当した際の前記ターゲットプレートＴＰの段差乗越課題を解消克服した性能説明から、前記６項における公知技術との効果差異やＧＢＫ構成要部の発明効果は十分明らかになったものと思われる。
【００２４】
（９）ＧＢＫへの装着ボールを図４、図５の実施例２、及び図６の実施例３、図７の実施例４のようにボールを交換式とした場合は、ボールに社名やロゴマーク、イベント名、名入のマイボールに入替えて販促用、ゴルフコンペ用品、記念品としても最適である。更にはホールインワンや優勝した記念ボールと入替えることで一層付加価値が高められる。
（１０）実施例の場合、ＧＢＫの全体重量（例えば、図６ｆ）：７５ｇであり、ボール重量：略４６ｇである。即ち、実施例におけるボール重量に対するＧＢＫ全体の重量比率は、略：６０％である。多くの試作実験結果からＧＢＫ本体重量を、例えば、４６ｇとして前記ボール重量比率を１：１にした場合は、ＧＢＫの滑走状態が悪くなり、ボール重量が全体重量に占める比率は、少なくとも５０％以上に設定設計することが望ましい。 
【図面の簡単な説明】
【００２５】
【図１】ゲーム用ボール組立体における機能実験モデル試作品の説明図である。
【図２】図１の機能モデルに基づく実験結果の説明図である。
【図３】実施例１：上部、胴部、底部スライダーの３部品で別体形成した実施例である。
【図４】実施例２：胴部と上部とを合体し、底部スライダーと胴部の夫々を接合形成した２部品による装着ボール交換式の構成である。
【図５】実施例２：胴部と上部とをドーム型に合体し、底部スライダーと胴部の夫々に嵌合凸部を形成した装着ボール交換式の構成である。
【図６】実施例３：底部スライダーと胴部とを合体し、胴部と押リングの夫々に嵌着凸部を形成し、エラストマー被覆を用いたボール交換式の構成である。
【図７】実施例４：エラストマー素材を用いた胴部と底部とを合体型、別体形成した摺動部を底面に敷設するようにしたボール交換式の構成である。
【図８】本発明各実施例における装着ボールの遊びガタ状況や摩擦制動の説明図面であり、ＧＢＫ発明要部の図解説明図である。
【図９】本発明のボール組立体を用い、屋内床面で実際にフロアゴルフゲームやカーリングゲームを楽しむための実施例である。
【図１０】特許文献３における開示技術を説明するための引用図面である。
【発明を実施するための形態】
【００２６】
初めに、図８は本発明要部における図解説明用の添付資料図である。以下に各実施例１〜４に共通のＧＢＫ構成要部の遊びガタや、縦方向に３ヶ所あるＧＢＫ内部の摺動位置等が一見して理解できるようにした参考図解資料を纏めて添付し、各実施例説明と関連して図８ａ〜図８ｆにおける該当図番を適宜括弧内に表示して用いる。
さて、図１以下の本願各実施例図面では構成要部や発明ポイントが、一目瞭然に理解されるよう各実施例要部の寸法を参考記載し、略原寸大の斜視図、断面図及び部分拡大断面等で適宜図示して以下に各実施図面を参照しつつ説明する。また、本願図面では各図中の同様な作用をする部分には同様な符号や、名称（用語）を記載すると共に各図の概要や要点等を図中に枠囲いで注釈記載して理解の助けとした。
本発明の具体的実施例を示した図３以降の説明に先駆け、本発明が狙いとするゲーム用ＧＢＫが備えるべき構成要素や構成機能について、先ず図１、図２を参照しつつ説明する。図１ｄは組立後の機能実験モデルＧＢＫを示し、図１ｅは図１ｄの図Ａ一Ａ線上における断面図、図１ａ〜図３ｃはＧＢＫ構成部品図を示す。そして、図１、図２の説明により「ゲーム用ボール組立体ＧＢＫ」が狙いとする発明構成要点や解消すべき機能課題等が明らかになる。
【００２７】
初めに、本願発明に用いるゴルフボールｇｂ（以下、本願ではゴルフボールｇｂのことを単にボールと称して説明することもある）について説明する。図１ｂに略現物大で示した公認ボールの主要規格を参考記載すると、ボール直径：Φ４２．６７ｍｍ（１．６２インチ）以上、重さ：４５．９３ｇ（１．６２オンス）以下として飛距離が出難い方向に規定されている。構造的にはワンピース、ツーピース、スリーピース型等の種類があり、また、該表面には空気抵抗を減らして飛距離を伸ばすための細かいディンプル（４００ヶ前後の凹み）が形成されている。近年は、カラフルで綺麗なカラーボールが普及し女子プロゴルファーらも愛用している。また、ボールを例えば、オレンジとイエローとで半々に色分け着色したツートンカラーと称するカラフルなものがあり、該ボールをＧＢＫに装着して床面に転動させた場合、２色がゴロゴロ変色されてＧＢＫ転動滑走時のゲーム面白効果が一層高められるのであり、後述の本実施例でも用いた。
【００２８】
図１ａ〜図１ｅ｛本願明細書では、各図中の（）を省略して記載する｝の各図について説明を続ける。図１ｃはＧＢＫにおけるボール装着胴部２を形成するもので、因みに各部寸法は高ｈ：２１、開口内径ｄ２：Φ５０、底穴ｄ３：Φ３５、摺動部底面１ａで形成されている。次に、図３ａ斜視図における上部３の押リング３ａは胴部２に装着したボール飛出防止用の開口部における押リングである。押リング３ａは、図１ａのように両側が開口形成されて外周部外径：ｄ２は、前記図１ｃの開口内径ｄ２：Φ５０と嵌合される寸法とされ、上部の開口部は内径ｄ１：Φ４１としてボール直径より若干小径にしてある。
【００２９】
即ち、図１ｄは前記図１ｃの胴部２にボールを装着し、該胴部２の上部３に押リング３ａを圧入嵌合した機能実験モデルＧＢＫの外観斜視図である。また、図１ｅは図１ｄのＡ−Ａ線断面を示し、装着ボールはスリーピース型の実施例である。そこで、本発明ＧＢＫの基本構成に関する各実施例の共通点に関して、図１ｄ、図１ｅを同時参照し乍らＧＢＫの三つの構成要素を説明する。図示のように、下側：底部１、中間：胴部２、上側：上部３である。ＧＢＫは、それら三つの構成要素を備えて組立体全体の機能効果が発揮される構成である。
ＧＢＫ内部に装着されたボールが自在転動される構成について、図１ｅに基づいて更に説明する。装着されたボールはＧＢＫ内部で上下及び横方向に対し略±０．５ｍｍ位の所謂遊びガタを備え、該装着ボールが３６０°方向へ遊びガタを有する態様で床面に載置した際にＧＢＫの底穴ｄ３から突出して床面に当接され、自在転動にされると共に、該ボールの牽引作用でＧＢＫ底面が床面に摺動滑走される原理である（図８ａ〜図８ｆのＧＢＫ発明要部図解図参照）。
【００３０】
そこで、該ＧＢＫ滑走時の内部における牽引動作時の状況について更に説明する。ボールは、ＧＢＫ内部でのボール転動時には図１ｅのように押リング３ａのＲ１部、又はＬ１部にボール表面が接触摺動される。即ち、ＧＢＫ滑走時は底面１ａでの床面に対する摺動摩擦抵抗に加え、内部では滑走方向に関連して押リング３ａ端ではＲ１部、又はＬ１部での摺動摩擦抵抗が作用する。ＧＢＫはそれら双方の制動作用により適宜スピードダウンが図られる。即ち、前記摺動部の素材選定や設計により該制動作用を勘案してＧＢＫ滑走時の適宜最適化が図られることを意味する。引続き図１で示したＧＢＫの機能実験モデルを用いた転動実験結果について図２と共に説明する。
【００３１】
図１のＧＢＫ機能実験モデルは、以下に説明する図２の該実験結果とも関連してＧＢＫをゲーム用とする際の諸課題を検討し、更にＧＢＫが備えるべき構成機能や条件等の模索に役立てようとする予備実験の検討用を兼ねたものである。図２は、前記図１ｄ、図１ｅと共に説明したＧＢＫに関し実際に床面ゲーム用を前提に、該胴部２に対しゴルフ用パターで打撃滑走させた際の実験結果を示す。ＧＢＫを２ｍ前後の距離狙いで胴部２を軽く打撃滑走させた場合、図２に示す横転トラブルは頻発しない。しかし、強打したり打ち損じた際は図２に示すようなトラブルが発生する。図２ｅは説明のために前記図１ｅを再度図示し、図２各図の下記説明と共にＧＢＫが備えるべき構成要素も十分明らかになる。なお、ＧＢＫをゲーム用とする際の四つの重要課題中の第一課題の胴部からのボール飛出課題は、図２ａの態様で胴部２の上部３に押リング３ａ設けたことにより良好に課題解消が図られる。
次にＧＢＫ滑走時の摩擦状況や、横転（転倒）、段差課題等の残り三つの課題について図２に共について更に説明を続ける。
【００３２】
さて、図２ａのＧＢＫを床面に載置した状態から該胴部２に図２ａの矢印Ｒ方向、又は破線矢印Ｌ方向にパター用具、又はつま先、素手により打撃した状況について図２ｂ〜図２ｅの各図を同時参照しつつ説明する。
第二：ボール転がり抑制（制動）課題、ボール転動時の摩擦抵抗と制動作用について説明する。今、図２ａにおいてＧＢＫを矢印Ｒ方向へ打撃した際、図２ｅに示すボールは床面に転動されると共にＧＢＫが右方向へ、破線矢印Ｌ方向に打撃した場合は左方向へ、装着ボールは図２ｅのように右回転（転動）又は左回転されると共に、ＧＢＫ底面は床面からの摺動摩擦抵抗を受けつつ滑走される。
一方、ＧＢＫ内部ではボールの右転動時は押リング３ａのＲ１部で、左転動時はＬ１部で夫々ボール表面部が摺動され乍ら転動されることになり、滑走時のＧＢＫ底面１ａは床面と、転動時のボールは図２ｅに示すリング３ａのＲ１部、又はＬ１部との都合二ヶ所で摺動摩擦による適宜の制動を受けつつ滑走されることになる。
【００３３】
第三：打撃滑走時の横転（防止）課題、について説明する。
前記図２において、矢印Ｒ方向やＬ方向へＧＢＫの胴部を強打し、特に胴部２を打ち損じた場合は、図２ｂや図２ｃのようにＧＢＫが右側や左側に９０°横転した状態でボール装着のまま胴部２が如何にも車輪状に転がり、更には図２ｄのように完全に転覆した転倒状態になる課題がある。該トラブルを抱えたままでは勿論ＧＢＫはゲーム用遊具としての実用化は図れない。
第四：床面滑走時の段差乗越え課題、について説明する。
前記特許文献３の説明と共に関連指摘した前記段差課題、及び前記３項における横転、転倒課題はＧＢＫをゲーム用とする場合に当然克服を要する最重要課題となる。又、ＧＢＫ滑走時の上記二つの課題は、互いに因果の関係にあり図２ｅの断面図に基づいて説明する。ＧＢＫを図示の前記Ｒ方向やＬ方向に滑走させた際、円囲いしたＲ、Ｌ部分はＧＢＫ滑走時の床面との直交縁部をなしており、０．数ｍｍ位の段差や障害物にも引っ掛かってしまう課題と共に、前記横転、転倒を引起す要因にもなる。
以上に説明したようにＧＢＫの四大課題中の第一：胴部からのボール飛出（防止）課題、及び第二：ボール転がり抑制（制動）課題、は前記図１に示した機能実験モデルで既に課題解消済みである。残り二つの課題は第三：打撃滑走時の横転（防止）課題、及び第四：床面滑走時の段差乗越え課題、である。それら二つの重要課題については、以下に課題解消を図った図３の実施例１と共にＧＢＫ発明構成要部について具体的に説明する。
【実施例１】
【００３４】
さて、本願発明が狙いとするゲーム用ＧＢＫの構成要点や課題は前記機能実験モデル説明内容から十分理解できたものと思われる。そこで、ＧＢＫの構成要部中の前記図１、図２と共通する同一構成部分に関する重複説明は図３以降では省略し、前記図１における諸課題を解消克服した構成要部や前記図１と異なる構成部分を主体的に説明する。図３の具体的実施例１での詳細説明により、実施例２以下に示す本願発明の構成要部は十分明らかになる。
【００３５】
図３ａ〜図３ｇの各図はＧＢＫの実施例１の斜視図、部分断面図等を示しおり、以下、図３の各図面を同時参照し乍ら実施例１の構成要部を説明する。先ず、図３ｅは各構成部品を図３ａ〜図３ｄに示す４点の部品で組立したＧＢＫの外観斜視図を示し、図３ｆは図３ｅのＣ一Ｏ一Ｃ線における断面図を示す。因みに組立てしたＧＢＫの図３ｅ、図３ｆは前記図１の機能実験モデル同様、本実施例１でも底部１、胴部２、上部３の三つの要素を備えて構成されている。
そこで、前記実施例１の各部品の図３ａ〜図３ｄに戻って説明すると、図３ａ、図３ｂは前記図１で説明した押リング３ａ、図３ｂのボールは図３ｆ断面図ではスリーピース型を例示している。なお、押リング３ａは上下を開口せず、ボールより小径開口した上側をドーム状にして透明体で形成して用いてもよい。
本実施例１における図３ｃの胴部２は、エラストマーで射出成形したゴム素材からなり胴部２に弾力性を備えた実施例である。なお、エラストマー所謂、熱可塑性のエラストマーＴＰＥは、耐摩耗性、弾力性に優れ、軽量で、椅子脚、吸盤、マット等に多用されている。本願ではエラストマー素材を塗潰して表示する。次に図３ｄに示すスライダー４の実施例１について説明する。なお、本実施例では弾力性素材をエラストマーに限定することなく、例えば、エラストマーの代りに天然ゴムを用いても同じ効果が得られる。
【００３６】
図３ｃの胴部２（エラストマー）の各部寸法は、前記図１ｃに準じており説明を省略する。そこで、本発明ＧＢＫの胴部２の底面１ａに敷設して床面との摺動部を形成し、前記第三、第四項の残る二つの重要課題解消を一挙に図ろうとする実施例１のスライダー４について図３ｄと共に説明する。本実施例１のスライダー４は胴部２と、別体形成により、ポリプロピレン（ｐｐ）、ポリカーボネィト（ｐｃ）等の素材で成形されている。ＧＢＫ組立時は、図３ｆの断面図のように胴部２における底面１ａの底穴ｄ３にスライダー４の底穴ｄ３を合致させ、スライダーの接着面４ｂを胴部２に対して合体固着する構成である。そして、胴部２の底面１ａに敷設したスライダー４により、前記第三、第四項の課題解消を図ったＧＢＫ発明要部構成について、図３の実施例１に基づいて更に説明する。
【００３７】
第三：打撃滑走時の横転（防止）課題、について説明する。
前記図２と共に説明したＧＢＫ機能実験モデルでは、図２ａの床面との摺動底面１ａが胴部２と筒状同径の儘を摺接面として滑走させた結果、図２ｅに示すＲ部、Ｌ部の摺動縁部が床面と垂直状エッジ部をなした構成に起因してＧＢＫ滑走状況が一層不安定になり、打撃時に図２ｂ〜図２ｄのような横転、転倒課題が生じた。
そこで、上記課題に鑑みて図３の実施例１では胴部２エラストマーの底部外径ｄ６：Φ５８に対し、スライダー４の外周部外径ｄ４：Φ８０として摺動面を大径に拡大実施した結果、所謂、ＧＢＫ座り時の重心が低くなり、打撃滑走時の横転課題が解消された。更に前記床面滑走時の段差乗越え課題解消を目的として、スライダー４の摺動外周縁部を図３ｄ、図３ｇのように上部外側に向かって傾斜する円弧形状で形成した相乗効果により、ＧＢＫの滑走状況が飛躍的に安定化し、前記図２と共に説明した滑走時の横転や転倒課題が良好に解消された。
ところで、スライダー４外径はΦ１２０前後と更に大径にしても機能目的は果せるが、図９のようなゲーム時、フロアに複数のＧＢＫを散乱滑走したケースを勘案すると明らかなように、スライダー外径を必要以上に大径化すると滑走路を塞ぐ支障がある。多くのゲームテスト結果から、スライダーの外径寸法はΦ７０〜Φ１００が好適であった。本実施例ではゲーム機能、取扱い、携帯性等を勘案結果からスライダー外径ｄ４：Φ８０として実施し満足な結果を得ている。
【００３８】
ＧＢＫをゲーム用に適用する際の残る重要課題である前記段差課題について、図３の実施例１の具体的実施例と共に説明する。
第四：床面滑走時の段差乗越え課題、について説明する。
前記特許文献３、及び図１、図２で前記した機能実験モデルＧＢＫでは、床面に滑走させた際に底面摺動縁（エッジ）部が床面と垂直直交状であったことに起因し、床面に僅かの段差や畳縁部での滑走時に該段差部で引っ掛かる課題があった。しかし、本願発明が狙いとするゲーム用ＧＢＫでは、前記図３ｄ〜図３ｇのようにスライダー４の摺動外周縁部（断面）を上部外側に向かって傾斜する円弧形状で形成したことにより、前記図９に示したターゲットプレートＴＰ：２ｍｍ厚（ＣＤ板段差障壁）を床面上に載置（配設）した場合にも、該床面段差（障壁）をＧＢＫ滑走時に十分乗越え得る要部機能構成となった。即ち、前記第三：打撃滑走時の横転（防止）課題、と共に本願発明が最重要課題として取組んだ前記第四：床面滑走時の段差乗越え課題、を含め、ＧＢＫをゲーム用とするための前記諸課題を一挙に解消克服し、良好に初期目的が果せるＧＢＫ構成となった。
【００３９】
以上図３の実施例１の説明でＧＢＫの発明構成要部は、十分明らかになったものと思われる。ここで、前記図３の実施例１における参考事項に関して補足記載する。前記実施例１における図３ｃの胴部２はエラストマーで形成した実施例を示した。ＧＢＫの胴部２をエラストマーで形成した場合、胴部２が弾力によるクッション効果を備えて保護される特徴がある。即ち、胴部２を金属製パターで強打した際等にも該弾力吸収効果で胴部損傷が防止されと共に打撃時の感触も良好なものとなる。
ところで、エラストマーはゴム素材のため摺動摩擦抵抗が極端に大きいのであり、例えば、前記図３ｃのエラストマー地肌に直接ゴルフボールを装着させて態様で、前記実施例１のように床面に転動、摺動、滑走させる構成とした場合は該摺動摩擦抵抗のため、ボールは殆ど転動されずＧＢＫは摺動滑走されないのである。即ち、エラストマー地肌にボールを直接摺動、又は床面にエラストマー地肌を直接摺動させる構成では、ＧＢＫの滑走目的が果せないのである。そのため、前記図３ｅ、図３ｆの実施例１、及び後述する図６の実施例３、図７実施例４では前記エラストマーが床面やボールに対し、少なくとも転動時や滑走時は、該エラストマーと直接接触摺動されないよう配慮した要部構成とした（添付図８のＧＢＫ発明要部図解図参照）。引続き図４の実施例２について説明する。
【実施例２】
【００４０】
図４ａ〜図４ｇの各図はＧＢＫの実施例２を示し、図４ａ〜図４ｃは構成部品の斜視図、図４ｄは組立したＧＢＫの斜視図、図４ｆは図４ｄにおけるＤ一Ｄ線上のボールを含まない拡大断面、図４ｇは図４ｄにおけるＥ一Ｅ線上の断面図を夫々示す。本実施例２の特徴は前記図３の実施例１の構成部品がボール込で４部品であったのに対し、本実施例２では３部品で構成した点である。即ち、実施例２では図４ａの外観斜視図のように前記実施例１で示した胴部２と上部３（図３の押リング３ａ）とを、図示のように一つの部品に開口ドーム型５として合体し、本願では（合体）開口ドーム型５と称して説明する。先ず、該開口ドーム型５について図４ａに基づいて説明する。
４ａに示す開口ドーム型５は、内部が透けて見えるようＰＰやＰＣ等の樹脂素材により透明体で成形して用いてもよいが、図６ｃと共に後述するエラストマー被覆筒で胴部を被覆実施してもよい。該開口底部５ｂは、図４ｃに示すスライダー４の底穴ｄ３：Φ３５の外周部に設けた立設部４ｆ（Φ４５）に対し、前記開口ドーム型５の胴部２内径ｄが係合される寸法で形成する。即ち、開口ドーム型５下端の内周面には図示のように９０°間隔でねじ５ｄを形成し、スライダー４の４ｄねじと前記開口ドーム５ｄねじとを、図４ｆ断面図のようにねじ止め嵌合される構成である。又、開口ドーム型５（胴部２）の開口ドーム形状５ａは、内径ｄ１：Φ４１で開口形成され、図４ｄのように組立後は該開口ドーム５の上部から装着ボールの一部が図示のように突出される。
【００４１】
次に図４ｃのスライダー４について説明する。実施例２のスライダー４の前記実施例１の図３ｄとの相違点は、図４ｃのスライダー４では底穴ｄ３：Φ３５外周部に外径ｄ：Φ４５の立設部４ｆを設けると共に、該周面部に前記開口ドーム型５ａにおける５ｄねじに係合させる４ｄねじを備えたことである。その他の外形寸法は前記実施例１に準じたものである。実施例２の組立時はボールをスライダー４の底穴ｄ３に載置した状態から、開口ドーム型５（胴部２）の開口底部５ｂをスライダー４の立設部４ｆに係合させ、双方の４ｄ、５ｄを締め付けると図４ｄ、図４ｇのＧＢＫ組立体が完成する。図４ｆは組立後の図４ｄにおけるＤ一Ｄ線上のボールを含まない拡大断面を示し、前記スライダー４の摺動外周縁部に形成された円弧形状４ｃの断面形状と、前記４ｄ、５ｄの係合状態を拡大した断面図である。図４の実施例２について引き続き説明する。
【００４２】
前記のようにスライダー４の外周縁部が円弧形状４ｃとされ、図４ｆに示す断面円弧形状４ｃとした構成効果は、前記図３の実施例１で説明した同様の機能効果が発揮される。そして、本実施例２による構成特徴はＧＢＫの組立に接着や工具を一切用いることなく、二つの構成部品のねじ部着脱のみでＧＢＫのボール交換をユーザーが自在に行えて、ロゴマークやイベント名入りボールを装着して販促用としたり、ユーザーがマイボール、ゴルフコンペ時の記念ボールとの入れ替え交換が自在に行える特徴効果がある。
次に、図５は前記図４に示した前記実施例２における構成内容の一部分を変形した実施例２であり、図５に基づいて説明する。
【００４３】
前記図４と共に説明した前記実施例２を変形した変形実施例２について説明する。図５ａ〜図５ｆの各図は、ＧＢＫの前記図４に示した実施例２における構成要部の一部を変形した別の実施例２である。図５ａ〜図５ｃは構成部品の斜視図、図５ｄは組立後のＧＢＫ斜視図、図５ｅは図５ｄのＦ一Ｆ線上の一部拡大断面、図５ｆは図５ｄにおけるＧ一Ｇ線上の断面図を夫々示す。本実施例２の構成特徴は、前記図４実施例２の構成同様にボール込で３部品により構成したＧＢＫである。即ち、本実施例２では図５ａの外観斜視図のように前記実施例１で示した胴部２と上部３（図３の押リング３ａ）とを一つのドーム形状６ａに合体したもので、本願では該合体型をドーム型６と称して説明する。本実施例２ではドーム型６とスライダー４部とを前記実施例２のように、ねじ式で脱着嵌合するように形成してもよいが、本実施例ではねじ式に代えて、スライダー４の立設部４ｆにおける嵌合凸部４ｅに係合させる構成としてドーム形状６ａの開口下端の内周面に嵌合凸部６ｅを形成し、双方の凸部同士で合体嵌合するようにした構成である。
【００４４】
即ち、図５の実施例２組立時は、先ずボールをスライダー４の底穴ｄ３に載置し、ドーム型６の開口底部６ｄをスライダー４の立設部４ｆと筒軸を合せ、ドーム型６の上部から加圧して双方の嵌合凸部４ｅと、嵌合凸部６ｅとを図５ｅ、図５ｆの態様で嵌合構成する。そして、図６ｄ、図６ｆのように組立後のＧＢＫは前記実施例２同様、装着ボールはドーム形状６ａ（胴部２）内部で上下及び横（Ｒ３部やＬ３部）方向に略±０．５の遊びガタを設けた寸法関係で設定構成する（添付図８のＧＢＫ発明要部図解図、図８ｂ、図８ｃ図８ｆ参照）。
なお、本実施例２ではＧＢＫ滑走時の装着ボールが、組立体内部での接触摺動される部分（ボール転動時の接触ヶ所）を図５ｃ、図５ｅに示すスライダー４の立設部４ｆのＲ３及びＬ３となるように設計実施（図８ｆ参照)している。また、本実施例２は装着ボールの自在交換式であり、ボール交換時は前記底穴ｄ３からボールを上部に押出すように圧接することで、ドーム型６とボールとが同時に離脱されてボール交換ができ前記図４の実施例２と同様な構成効果が発揮される。
また、前記スライダー合体型９胴部２における凸部２ｄと、押リング３ａにおける凸部３ｂの嵌合接合部は前記図４の実施例２のように、ねじ嵌合式に形成してもよい。
【実施例３】
【００４５】
図６ａ〜図６ｇの各図はＧＢＫ実施例３である。図６ａ〜図６ｄは構成部品の斜視図を示し、図６ｅ、図６ｆは組立後のＧＢＫの斜視図、更に図６ｇは組立後の図６ｅや図６ｆのＧ一Ｇ線上の断面図を各々示す。そこで、図６の実施例３には胴部２にエラストマーで形成した被覆筒７を用いた実施例３と、該被覆筒７を用いない実施例３の二通りがある。初めに、該被覆筒７を用いない実施例３について説明する。本実施例３では図６ａに示す押リング３ａには、図６ｄの合体型スライダー９の胴部２と嵌合合体させるための嵌合凸部３ｂを外周面に形成してある。他の外形寸法は前記図３の実施例１と同じである。即ち、図６ｄは前記実施例における胴部２と前記図３におけるスライダー４とを一つに合体した所謂、スライダーと胴部２の合体型９である。該内周面には前記押リング３ａの嵌合凸部３ｂと係合して押リング３ａを該上部に装着するための嵌合凸部２ｂが形成してある。組立時は、ボールをスライダー合体型９の胴部２に先ず装着し、上から押リング３ａを該合体型９の開口部から圧着すると双方の嵌合凸部２ｂと３ｂとが、図６ｇにおける嵌合凸部２ｂ／３ｂのように嵌合され、ボール込で３部品による図６ｅのＧＢＫ組立体ができ上がる。そして、図６ｅのように組立後のＧＢＫは前記各実施例と同様の機能効果が発揮される。
なお、前記スライダー合体型９の胴部２における凸部２ｄと、押リング３ａにおける凸部３ｂの嵌合接合部は前記図４の実施例２のように、ねじ嵌合式として形成してもよい。
【００４６】
次に、図６の実施例３に対して胴部２に被覆筒７（エラストマー）を被せた実施例３について説明する。図６ｃにおける被覆筒７は前記エラストマー素材により内径：Φｄ５で成形され、パター等でＧＢＫが強打された際に該胴部２をエラストマー弾性体で保護するように形成した被覆用サポーターである。そこで、前記合体型９の胴部２に対して被覆筒７（エラストマー）を被せて用いる場合は、胴部２に対して被覆筒７を先に被せてからボールを装着組立すればよく、この実施例ではボール込みで４部品による構成となる。また、装着ボール交換時は前記実施例と同様にスライダー４の底穴ｄ３からボールを押出すように行えばよい。
そして、図６ｆは該被覆筒７を図６ｄの胴部２に被覆形成したＧＢＫ組立であり、図６ｇにおけるＧ一Ｇ線上の断面図上では被覆筒断面部分を破線で示している。なお、被覆筒７は前記した他の実施例に被覆した場合にも同様効果が発揮される。引続き図７の実施例４について説明する。
【実施例４】
【００４７】
図７ａ〜図７ｋの各図は実施例４を示す。図７ａは組立後のＧＢＫ、図７ｂは前記図７ａを転倒させた底面図、図７ｃは摺動部材１０ａを図示形態でディスク上に一体形成したディスク板１０の底面図、図７ｄは図７ａにおけるＨ一Ｈ線上の断面を夫々示す。図７の各図に示す実施例４は、底プレート８ａ（底面８ｃ）と胴部８ｂとを一つにしたエラストマー合体型８である。即ち、エラストマー素材でＧＢＫ主要構成部を一体で射出成形し、ＧＢＫ全体に弾力性を備えることで耐衝撃効果が一層発揮される構成とした実施例４である。
然るに、ＧＢＫをエラストマー素材で形成する場合は前記したように該組立体が床面や該装着ボールが該地肌に対し、少なくとも滑走時には直接接触されない構成が必要である。本実施例４に関して要部構成絡みの該課題を図７ｄ断面図で説明すると、ＧＢＫ滑走時に装着ボールが組立体に摺動される部分は押リングのＲ１部とＬ１部分のみとされ、更に床面との摺動部分は下記各実施に示す摺動部が担うよう別体構成として、課題解消を図った実施例４である。次にＧＢＫの底面８ｃに設ける別体形成した摺動部の各実施例について図７の各図と共に説明する。
【００４８】
図７の実施例４では、エラストマー合体型８としてＧＢＫ要部を構成したことに関連して、特にエラストマー合体型８の底面８ｃに設ける摺動部の変形実施例について説明する。
先ず、図面７ｂ、図７ｃ、図７ｆ、図７ｇ各図は裏返した底面図を示し、更に図７ｅ、図７ｈ、図７ｋの各断面図は前記図の当該部分を裏返した状態から更に復元した状態の断面図を示している。そこで、ＧＢＫ底部の底面摺動部における変形実施例につて説明する。
円弧状に突起した少なくとも３個以上の摺動部材により、底面摺動部を形成する実施例について図７の実施例４と共に併用実施した構成例について説明する。
図７ａ、及び図７ｂは図７ｂ図の上側に示した球状摺動部材８ｅや半球状摺動部材８ｆ(樹脂・金属製等、Ｒ３位が適当)を用いて摺動部を構成したＧＢＫの組立後の斜視図、及びＨ一Ｈ線上の断面図を示した実施例４である。本実施例では図７ｂに図示するように、底面８ｃの外周縁部に９０°間隔で前記摺動部材用の埋設穴８ｄ（４ヶ）を設け、上記摺動部材８ｅや、８ｆを図示のように埋設する。摺動部が円弧状に形成された摺動部材８ｅ、８ｆ担体を接着剤で固着するか、エラストマーの弾力を利用して圧入加工する。
【００４９】
図７ｄのＨ一Ｈ線上の断面図に示した車輪形状部分（４ヶ）が前記球状摺動部材８ｅを埋設した際の断面を示す。一方、図７ｃはディスク板１０裏面側に図示のように円弧状の半球状（突起）摺動部材１０ａを図示のように４ヶ形成した摺動部実施例であり、前記エラストマー合体型８の底面８ｃに対して該ディスク板１０毎を敷設構成する。図７ｂ、図７ｃのＫ一Ｋ線断面は何れも図７ｅのような円弧形状になる。そして、前記実施例１以降に示した摺動外周縁部が上部外側に向かって、傾斜する円弧形状に備えた摺動部同様、円弧状に突起した３個以上の摺動部材１０ａをＧＢＫ底面に図７ｂ、図７ｃのように所定間隔で配設した摺動部構成により、前記実施例と同様な機能効果が発揮されて摺動部の機能目的が良好に果せる。なお、図７ｅにおける円弧Ｒ：４〜で形成すると好ましい。
【００５０】
図７の実施例４に関連して摺動部を別体形成した他の実施例について説明する。
図７ｆは、５ｍｍの肉厚さを有する底面用プレート１１で形成した外周縁部１１ａにおいて、Ｌ一Ｌ線上の断面が図７ｈのような円弧形状、又は図７ｋのような直線形状により上部外側に向かって傾斜形成した摺動部を備え、前記エラストマー合体型８の底面８ｃに対して該底面用プレート１１毎を前記エラストマー合体型８の底面８ｃに対して、前記実施同様に敷設構成する。前記図３で説明した実施例１のスライダー４外周縁部に、円弧形状に形成した実施例同様の構成効果が発揮される。
図７ｇは、前記実施例１における前記図３ｄを裏返したスライダー４の底面図を示し、前記合体型８の底面８ｃ底穴ｄ３に対し、スライダー４の底穴ｄ３を合致させて接着面４ｂ（図示の逆面側）を接着するか、スライダーに突起部を形成して合体型８の底面８ｃに加工した前記埋設穴８ｄに圧入するように構成してもよい。図７の合体型エラストマー８の底面８ｃに敷設構成して用いた場合にも前記実施例１で説明したスライダー４の円弧形状４ｃと同様な摺動部となり機能効果が発揮されることは勿論である。
【００５１】
終わりに、以上に説明した本願発明に基づく「ゲーム用ボール組立体ＧＢＫ」を用いて、本出願人が実際に孫や家族らと楽しんでいるゲーム例、即ちフロアゴルフ及びカーリングゲームの実施例に関して添付図９と共に概要説明する。該ゲーム例説明によって前記ＧＢＫに対する理解や価値評価が深まるものと思われる。
最初に、図９（ａ）の中央部に掲載したターゲットプレートＴＰの実施例について説明する。ＣＤ、ＤＶＤ用ディスク（ポリカーボネィト：ＰＣ製）は、外径：Φ１２ｃｍ、厚：１．２ｍｍ、穴径：Φ１５ｍｍと、サイズ／品質／コスト的にＧＢＫゲーム用ＴＰとするのに最適である。該ＣＤ板に対し、例えば図９のｆｌｏｏｒ  ｇｏｌｆとした記載面に、スコアゾーンを円形色分けし、スコア、ルール等を例えば、図示のように記載表示したラベルシールを制作貼着(又は直接印刷)する。そして、前記ＴＰを床面に配設載置した際の滑り防止のため該ＣＤ板の裏面側には滑止用シートを貼着する。なお、ゲームルールはＴＰ表記ルールを基本として図９の記載事項を参考に、更には必要に応じてプレイヤー同士で適宜ローカルルールを決めて楽しくゲームを行う。ＧＢＫを用いて老若男女が床面で楽しめるフロアゲームの代表例について、以下に参考記載する。
【００５２】
●フロアゴルフゲームの実施例概要について説明する。
（１）図９に示すように前記ＴＰをフロアスペースに応じ、例えば２ｍ間隔位の四角形位置に４ヶＴＰを配置し、２〜４名のプレイヤー各自が１個宛のＧＢＫ（スライダー部を４色分用意）を用い、プレーは、パター道具／つま先／素手を使い、図９（ｂ）のように各ＴＰセンタ穴（Φ１５ｍｍ）にＧＢＫボールをセットし、ＴＰのホールインワン(ホール)を目指して、順次スタートショットする。
（２）例えば、フロアゴルフを９Ｈ（ホール）回る場合は、図９に図示するように初め右回りに、ＴＰ１⇒ＴＰ２⇒ＴＰ３⇒ＴＰ４⇒ＴＰ１（折返）⇒ＴＰ４⇒ＴＰ３⇒ＴＰ２⇒ＴＰ１⇒（対角ホール）ＴＰ３…９Ｈのホールアウトである。更に、１８Ｈにチャレンジする場合は、例えば、ＴＰ３⇒ＴＰ２⇒ＴＰ１⇒ＴＰ４⇒ＴＰ３（折返）⇒ＴＰ４⇒ＴＰ１⇒ＴＰ２⇒ＴＰ３⇒（対角ホール）ＴＰ１…１８Ｈのホールアウト終了である！
【００５３】
●カーリングゲーム形式の概要説明。
図９（ａ）の４ヶのＴＰ配置のまま、ＧＢＫをストーン、ＴＰをハウスに見立てて、例えば二人のプレイヤーが夫々４ヶ宛のＧＢＫ（ストーン）を用い、カーリング形式で４ヶ所のハウスを移動しながらスコアを競うゲームである。なお、カーリング形式のゲーム時は、ＴＰの記載点数：１→１００、２→２０、３→３点としてルール改定して行う。
終わりに参考記載すると、本出願人はＧＢＫのフィールドテストを兼ねて自ら学童孫らと、前記ルールに基づく二通りのゲーム体験を行っているが、孫らの“今日もフロアゴルフ、カーリングゲームしょう！…”などとの誘い呼び掛けに即応して、一緒に童心に戻り、孫らとオジー・オバーが和気藹々目下“ＧＢＫゲームにハマッテいる”のが実情である。更にボーリング形式ゲームへの展開も面白そうであり、目下該ピン立て方法などを鋭意検討中である。
なお、ＧＢＫの改良案として、前記図９説明したターゲットプレートＴＰの例えば１×打数と記載した中央円部分に薄型ドーナツ状（強磁力の希土類）磁石を埋設することに対応して、ＧＢＫスライダー底部の図７ｃ底穴ｄ３外周部に、薄い円環状の磁性金属を固着することで、ＧＢＫとＴＰ双方の中央部を磁気的に吸着させる構成とする場合は、ホールインワンの確率が高まると共にスコア判定が明確化される効果もあり、該磁力を利用した構成で実施することもでき。
【符号の説明】
【００５４】
ＧＢＫ  ゲーム用ボール組立体
Ｒ１〜  ボール右転動時の摺動部
Ｌ１〜  ボール左転動時の摺動部
１      底部
２      胴部
３      上部
３ａ    押リング
４      スライダー      
４ｃ    円弧形状  
５      合体開口ドーム型
６      合体ドーム型
７      被覆筒（エラストマー）
８      エラストマー合体型
８ｅ    球状摺動部材
８ｆ    半球状摺動部材
９      スライダー（胴部）合体型
【図１】
2014180307.tif 000003
【図２】
2014180307.tif 000004
【図３】
2014180307.tif 000005
【図４】
2014180307.tif 000006
【図５】
2014180307.tif 000007
【図６】
2014180307.tif 000008
【図７】
2014180307.tif 000009
【図８】
2014180307.tif 000010
【図９】
2014180307.tif 000011
【図１０】
2014180307.tif 000012
【手続補正書】
【提出日】平成25年7月30日(2013.7.30)
【手続補正１】
【補正対象書類名】明細書
【補正対象項目名】全文
【補正方法】変更
【補正の内容】
【発明の詳細な説明】
【技術分野】
【０００１】
本発明は、床面では転がりが良過ぎるゴルフボールをボール組立体に装着して適宜制動される構成とし、各種の屋内ゲーム用遊具に供し得るボール組立体の新規提案である。
【背景技術】
【０００２】
現在の高齢化社会にあって、老人ホームや避難所等の狭い屋内床面を利用して老若男女が手軽にボールゲームを楽しめる遊具は、現在、皆無な状況である。そこで、本願発明は前記現状環境に鑑みて、野外での運動活動が困難な恵まれない状況下の人達を含め、体を動かして運動不足を解消し乍ら、身心のリフレッシュを図るのに最適な新規性を備えた屋内用遊具の提唱を意図する。
本願では広く普及しているゴルフボールを用い、該ボールを屋内床面でのゲーム用に適用する際に先ず課題となるのが、床面での“ボール転がりが良過ぎる課題”である。本願ではゲーム用に適合するように、該転がり課題を含めた諸技術課題を解消するため前記ボール組立体内部におけるボールの転動摩擦や組立体における床面との摺動滑走時の摺動摩擦抵抗の制動作用を検討最適化し、合せてゲーム用とするための諸課題の解消克服を図る。
【０００３】
ゴルフボール（以下本願では、ゴルフボールのことを単にボールと称して説明することもある）を床面に転動させた場合、転がりが良過ぎることが支障となり該ボール担体のままでは屋内ゲームに供し得ないことは周知の通りである。そこで、ボール担体におけるボール転がり具合を適正化させるボール構造として、例えば、下記特許文献１にはボール内部に粒状の錘を封入した特殊ボール構造が示され、また下記特許文献２にはボール表面にゴム素材で吸盤を形成した構造のものが開示されている。
更に、特許文献３には「ゴルフ用パター練習ボール器具」の名称で本願に類似した外観構造のものが開示されており、特に特許文献３からの図面を図１０に引用図示して本願発明構成との違いについて以下に詳細記載説明する。
【先行技術文献】
【特許文献】
【０００４】
【特許文献１】特開２００３−１０２８７２号公報
【特許文献２】登録実用新案第３０２９６２５号公報
【特許文献３】特許第３９９５１６０号公報
【０００５】
さて、前記したように特許文献１の特開２００３−１０２８７２号公報には「スポーツ玩具用ボール」として、ボール内部に粒状の砂等を封入して床面でのボール転がり具合を緩慢にするためのボール構造が示されている。また、特許文献２の登録実用新案第３０２９６２５号公報の「パター練習用ゴルフボール」では、ボールの球体面にゴム製吸盤を形成加工し、ボールの転がり具合を制限するようにしたパター練習用のゴルフボールが開示されている。
【０００６】
そして、本願発明構成と係わりのある前記特許文献３の特許第３９９５１６０号公報における「ゴルフ用パター練習ボール器具」に関し、本願発明における各実施例の構成との違いを明らかにするため、特許文献３に開示されている構成図面を図１０に忠実引用掲載し、以下に該開示技術による課題を含め本願構成との違いを明らかにする。
前記特許文献３から引用した図１０（なお、本願符合と区別するため、引用図の符号頭に「０」を付した）では、実施形態図として示されている図０１、図０２は中央に穴を設けた円板０３に対して筒状部０１または半球部０２を立設し、該内部にゴルフボール等を用いて転動を許容するように収納した構成とされている。
【０００７】
しかし、前記特許文献３から引用した図１０の各図における中央に穴を設けた円板０３の厚さ寸法、直径、外周縁に関することは各図面の説明記載がなく、実施形態の詳細は不詳である。然るに、例えば円板０３と称すものが厚さを有する例えば、ＣＤ（Φ１２、Φ８ｃｍ、ｔ＝１．２ｍｍ）板の如きものと想定し、文献３の開示図面の実施形態で本出願人が実際に試作実験した結果では、パター練習用を前提として段差の無い平滑床面でのパッティング転動（滑走）の実験結果では、パター練習用としての機能目的は一応果せる。
しかし、図１０に基づく構成により住宅床面に、例えば１ｍｍ位の段差がある接合床面や畳縁（たたみべり）で滑走（転動）させた場合、前記円板０３の摺動縁（エッジ部）が前記段差部に当接された際は僅かな段差が乗り越えられず、所謂、引っ掛かりが生じて滑走（転動）停止されてしまう課題がある。
【０００８】
前記特許文献３による開示技術では、本願明細書で各実施例と共に具体的に後述する本願発明が狙いとするようなゲーム用遊具としての機能目的は果たせないのである。本願発明の「ゲーム用ボール組立体ＧＢＫ」（以下の説明では、「ゲーム用ボール組立体ＧＢＫ」のことを単にボール組立体、又はＧＢＫと称して説明することもある）では、屋内ゲーム用としての目的を達成する手段として前記特許文献３における課題を含め、該ボールをボール組立体に装着構成して特に該ボールをゲーム用とするための諸課題の解消克服を図ることを前提とする。
即ち、該ボール組立体における装着ボールの滑走（転動）に伴う内部での摺動摩擦抵抗及び組立体底面摺動部における平坦面との摺動摩擦効果を利用して、適宜制動化を図ってボールの転がり及び組立体としての滑走具合の最適化を図り、トータルとしてゴルフボール担体のボール転がりに対しＧＢＫ滑走状況を略１０:１程度に制動抑制する構成とする。併せて、本願ＧＢＫをゲーム用に充当するための難関課題は床面滑走時の段差乗越であり、該課題解消のため、ボール組立体の底面摺動部における摺動外周縁部を上部外側に向かって傾斜する円弧形状で形成（図３ａ参照）し、前記段差課題を含めた諸課題の解消克服を図る。
前記諸課題の一掃を図った本願ゲーム用ＧＢＫは、野外での運動活動が困難な状況下の人達、老人ホーム住いの人達を含む老若男女が、狭い屋内床面を利用して手軽に屋内で体を動かし、運動不足を解消し乍ら身心のリフレッシュを図る屋内遊具として最適ユニークな新規性を備えた遊具の提唱を目的意図するものである。
【発明の概要】
【発明が解決しようとする課題】
【０００９】
前記特許文献３では、引用図１０に示すように中央に穴を設けた円板０３と、該円板上に立設した本体筒状部０１や半球状部０２は上端開口の儘の態様でゴルフボールを該内側に載置（収納）したのみの構成を特許にした発明である。収納ボールの飛出し課題や底面に設けた円板における摺動滑走時の段差課題等に対応した図面や言及は一切なされてないのである。
そこで初めに、前記特許文献３の開示技術における課題解消をも含め本願発明ＧＢＫが狙いとするゲーム用への充当には、下記四つの重要課題を解消克服する必要がある。即ち、
第一：胴部からのボール飛出（防止）課題、第二：ボール転がり抑制（制動）課題、
第三：打撃滑走時の横転（防止）課題、第四：床面滑走時の段差乗越え課題、である。
以下に、前記特許文献３の開示技術を含め、特に本願発明が狙いとするゲーム用を前提とした課題絡みで更に以下に詳細説明する。
【００１０】
前記特許文献３の特許第３９９５１６０号公報に基づいた開示技術は、明細書に記載されている通り「ゴルフ用パター練習ボール器具」であって、本願発明が狙いとするような前記屋内床面でのゲーム用遊具を目的としたものではないが、仮に前記特許文献３の開示技術を本願発明が狙いとするゲーム用に充当した際の前記四つの重要課題との関係について以下に参考記載する。
第一：胴部からのボール飛出（防止）課題、について説明する。
前記特許文献３からの引用図１０の図０１、図０２に示されている構成では、本体筒状部０１や半球状部０２に収納されたゴルフボール４がゲーム時に飛出す課題があり、ゲーム用には適さない。
第二：ボール転がり抑制（制動）課題、について説明する。
引用図１０における図０１、図０２に示されている構成では、本体筒状部０１や半球状部０２に収納されたゴルフボール４が本体筒状部０１や半球状部０２内部での転動摺動摩擦や、円板０３底面が床面との摺動摩擦を受けてゴルフボール転がりが抑制されるので、前記２項に係わる初期発明目的が果せる構成である。
【００１１】
第三：打撃滑走時の横転（防止）課題、について説明する。
引用図１０における図０１、図０２に示されている構成は、本体筒状部０１や半球状部０２の下部に、中央に穴を設けた円板０３が本体筒状部０１や半球状部０２より大径の円板０３図面が示されており、打撃滑走時の横転が防止されて解消が図れる。
第四：床面滑走時の段差乗越え課題、について説明する。
引用図１０における図０１、図０２における円板０３の外周縁の儘でボール０４を転動滑走した際は、床板接合部における僅かな接合部の床面段差（１ｍｍ前後）や、畳間では畳縁（たたみべり）に前記円板の外周の摺動縁（エッジ部）が引っ掛かって転動停止されることになり、前記床面滑走時の段差乗越え課題の重要課題が未解決の儘であり前記開示技術の構成ではゲーム用の目的には供し得ない。
【００１２】
そこで、更に前記床面段差課題絡みで予め参考補足説明すると、後述する本願のゲーム実施例図９を一見参照すると自明なように、例えば、図９に基づいてフロアゴルフ（パターゲーム）等を行う場合は、前記ＣＤ板裏面に滑り防止材等を貼着（トータル厚さ：１．２ｍｍ＋滑止材≒２ｍｍ厚段差）した状態のものをターゲットプレートＴＰとして用いる。従って、ゲーム用ＧＢＫ床面の滑走時は前記ターゲットプレートの略２ｍｍ段差をＧＢＫが乗越える機能構成が必要となる。該課題解消のため前記ＧＢＫ底面摺動縁部は実施例図面と共に詳細後述するような構成により、底部の外周縁部を大径に形成すると共に、該外周縁部を上部外側に向かって傾斜する円弧形状としたスライダー４の形成(図３ｇ参照)で課題解消を図り摺動部の機能目的を達成したものである。
本願ＧＢＫでは、当初から屋内床面でのゲーム用を前提として前記四大課題を掲げて、前記諸解消克服のため先ず機能実験モデルを用いて先ず床面での実験検証結果を行い、前記各課題を順次に解消し乍ら、屋内床面でのゲーム用ＧＢＫの具現化を図ったものである。以下にゲーム用ＧＢＫに仕上げた各実施例図面に基づいて説明する。
【課題を解決するための手段】
【００１３】
前記課題解決のため、本発明に係る「ゲーム用ボール組立体ＧＢＫ」では以下の第1〜第５発明のように形成する。                                                          
第1発明ボール組立体は、内部にゴルフボールを転動自在に装着したボール組立体であって、上部、胴部、底部の各部が下記のように形成されてなる。
（１）胴部は筒状に形成され、ボール組立体の底部と上部の中間部にあって該胴部全体を弾力性のゴム素材で形成すると共に、該胴部の内径をゴルフボールより大径で形成したこと、
（２）底部は胴部の下端に設けられ、該底部に備えた底面の中央部にゴルフボール直径より小径の底穴を設けてゴルフボールの一部分を突出させ、且つ、該底部は前記胴部の外径より大径として外周縁部が斜め上に向かって、円弧状に折り返す形状としたスライダーを該底部に敷設すると共に、該スライダーの該外周縁を摺動部として形成したこと、
（３）上部は胴部の上端に設けられ、両端が開口形成されると共に該上端側がゴルフボールより小径で形成した押リングを用い、ゴルフボールが前記ゴム素材による前記胴部に接触されることなく転動されるように形成したこと、
以上（１）〜（３）の各項を具備したことを特徴とするゲーム用ボール組立体（図３の実施例１〜図７の実施例４）である。
【００１４】
第２発明のボール組立体は、前記第１発明のボール組立体において下記のように形成する。
前記胴部全体が弾力性のゴム素材で形成された前記ボール組立体を打撃し、フロアに該ボール組立体を滑走させた際に、内部に装着したゴルフボールが下記のように転動される。
（１）前記上部に設けた前記押リングの上端が開口した内周縁（Ｌ１、Ｒ１）で、ボールの上部が接触して転動されるように形成したこと、
（２）前記押リングの下方における内周部分（Ｌ２、Ｒ２）、又はスライダーから立設した筒状部の内周部分（Ｌ２、Ｒ２）で、ボールの中央部が接触して転動されるように形成したこと、
（３）前記ボール組立体の底部に敷設したスライダーの前記底穴縁（Ｌ３、Ｒ３）で、ボールの下部が接触して転動されるように形成したこと、
以上（１）〜（３）の各項に記載するボール組立体の内部において、樹脂素材で形成した上中下の３ヶ所の内周縁、又は内周部分の何れか一ヶ所の所定位置でゴルフボールが接触して転動されるように形成したことを特徴とする請求項１に記載のゲーム用ボール組立体。
以上（１）〜（３）の各項に記載するボール組立体の内部高さ位置３ヶ所に対し、樹脂素材で形成した内周縁、又は内周部に形成した所定の摺動部に対して、前記ゴルフボールが接触しつつ転動されるように形成したことを特徴とするゲーム用ボール組立体（図３の実施例１〜図７の実施例４、及び図８の図解図）である。
【００１５】
第３発明のボール組立体は、前記第１発明のボール組立体において下記のように形成する。
（１）前記胴部はゴルフボールより大径とし、弾力を有するゴム素材により両端開口の被覆筒として形成したこと、
（２）前記底部のスライダーには、該スライダーにおける底穴の周辺部に対してゴルフボールより大きい内径を有し、外径が前記ゴム素材で形成した前記被覆筒の内径に嵌合されるように
した円筒状の胴部を立設形成すると共に、該胴部の上方に押リングとの接合用の嵌合部を形成したこと、
（３）前記上部に設けた押リングに対し、前記スライダーから立設した胴部上方に設けた嵌合部との接合用の嵌合部を形成したこと、
前記（１）〜（３）を具備して形成され、前記スライダーから立設した前記胴部にゴルフボールを装着し、前記スライダーの該胴部に対して前記ゴム素材の被覆筒を被せると共に、前記胴部と押リングの嵌合部を合体形成するようにしたことを特徴とするゲーム用ボール組立体（図６の実施例３）。
【００１６】
第４発明のボール組立体は、前記第１発明のボール組立体において下記のように形成する。
（１）前記胴部はゴルフボールより大きい内径とし、弾力を有するゴム素材により両端開口の被覆筒として形成したこと、
（２）前記底部のスライダーには、該スライダー底穴の周辺部にゴルフボールより大きい内径の立設部を設けると共に、該立設部の外周部に前記上部との接合用の嵌合部を形成したこと、
（３）前記上部に設けた押リングが開口ドーム型をなし、下方を円筒状とした胴部の内径をゴルフボールより大径とすると共に、該胴部外径をゴム素材で形成した前記被覆筒の内径に嵌合するように形成し、さらに、該胴部の下方に前記スライダーに設けた立設部の外周部との接合用の嵌合部を形成したこと、
前記（１）〜（３）を具備して形成され、前記スライダーから立設した前記立設部にゴルフボールを装着し、該立設部に形成した嵌合部に対して前記上部の開口ドーム型における嵌合部を合体形成すると共に、該合体した胴部に前記ゴム素材の被覆筒を被せるように形成したことを特徴とするゲーム用ボール組立体（図４の実施例２）である。
【００１７】
第５発明のボール組立体は、前記第１発明のボール組立体において下記のように形成する。
（１）前記胴部はゴルフボールより大きい内径とし、弾力を有するゴム素材により両端開口の被覆筒として形成したこと、
（２）前記底部のスライダーには、該スライダー底穴の周辺部にゴルフボールより大きい内径の立設部を形成すると共に、該立設部の外周部に前記上部との接合用の嵌合部を形成したこと、
（３）前記上部に設けた押リングがドーム型をなし、下方を円筒状とした胴部の内径をゴルフボールより大きい径とすると共に、該胴部外径をゴム素材で形成した前記被覆筒の内径に嵌合するように形成し、さらに、該胴部の下方に前記スライダーに設けた立設部の外周部との接合用の嵌合部を形成したこと、
前記（１）〜（３）を具備して形成され、前記スライダーから立設した立設部にゴルフボールを装着し、該立設部の嵌合部に対して前記上部のドームにおける嵌合部を合体形成すると共に、該合体した胴部に前記ゴム素材の被覆筒を被せるように形成したことを特徴とするゲーム用ボール組立体を特徴とするゲーム用ボール組立体(図５の実施例２)である。
【発明の効果】
【００１８】
本願発明のＧＢＫの発明効果に関しては、図３の実施例１〜図７の実施例４、及び図９に参考添付したＧＢＫによる具体的ゲーム実施例を含め、前記各実施例の説明と関連して適宜随所に記載した通りである。以下にそれら主特徴効果を纏めて列記する。
（１）現在の高齢化社会にあって、老人ホーム、避難所等での狭い屋内床面等を活用して体を動かし乍ら、ゲームが楽しめるボール式遊具は現在皆無な状況である。そこで、本願発明ＧＢＫは現状下の環境に鑑み、外出困難者や高齢者らを含む老若男女らに下記のような使用効果が発揮される新規性に富んだゴルフボール利用の屋内ゲーム用遊具を提唱する。即ち、屋内でゲームを楽しみ乍ら特定区間を歩行移動し、車椅子（パター使用）でＧＢＫを追っ掛け移動しつつ体を動かすことで運動不足の解消が図り、併せてストレス発散、心身のリフレッシュ、ゲームに頭を使うことで認知症予防効果への期待もできる画期的な屋内ゲーム遊具である。
（２）本願発明に基づくＧＢＫは、普及しているカラフルで綺麗なカラーゴルフボールを装着したユニークな外観デザインＧＢＫに基づき、図９に例示した如きフロアゴルフ、カーリングゲーム等、フロア面が略３ｍ×３ｍ位のスペースさえあれば、我が家の床面で特にオジーやオバーが孫らと、更には家族皆で和気藹々と気軽に楽しめ、身心をリフレッシュしつつ、ゲームを楽しむのに正にピタリの新規性を備えた屋内ゲーム用遊具提案である。
【００１９】
（３）しかし、ゴルフボールを床面に転動させた際は周知のように転がりが良過ぎるのであり、ボール担体では全く床面ゲームには供し得ない基本的課題があった。更に、本願が狙いとする前記屋内ゲーム用のＧＢＫは、前記特許文献３の開示技術を含め、本願発明ＧＢＫが狙いとするゲーム用に充当する際の難関課題であった床面滑走時の段差乗越え課題は、前記各実施例と共に詳細説明したように床面との摺動縁外周部の形状に関し、上部外側に向かって傾斜する一部断面を円弧形状で形成した要部構成発明により、前記四つの重要課題を一掃して良好に初期発明目的を果たし得たものである（図３の実施例１〜図７の各実施例４、及び図９のゲーム用実施例）。
【００２０】
（４）ＧＢＫを用いた代表的ゲーム例について、図９と共に図解説明したゲーム形式によるフロアゴルフ、カーリングゲームを初め、ボーリング、台上でのビリヤード形式による玉突き競技形式のゲーム等、ＧＢＫ活用による更に多種ゲームへの工夫展開が図れる。
（５）従来、ゴルフボールを用いて所謂パッティング練習を屋内フロアで行う場合は、縦長の穴付き帯状マットで傾斜面を形成してパター練習を行っていた。本ＧＢＫによるパッティング練習時は態々帯状マットを床面に敷設する必要がなく、図９に示したゲーム形式のように、例えば、二つのターゲットプレートＴＰを適宜床面２ヶ所に離間配置し、該ＴＰ間を往復、又は床面に複数配設したターゲットプレートＴＰを楽しみ乍ら移動し、パッティング練習が行える。そして、ＧＢＫによるパッティング練習を実際のグリーン面のような平坦面での実戦的パッティング練習が効果的に行える特徴がある（図９ゲーム実施例参照）。
（６）前記特許文献３の「ゴルフ用パター練習ボール器具」の開示技術構成と本願ＧＢＫ構成とを単にパッティング練習用として、性能比較した効果の違いについて説明する。前記特許文献３では引用図１０のように、本体筒状部０１や半球状部０２（何れも上端開口）は単にゴルフボールを載置収納した構成のため、打ち損じや移動時等にボールが飛び出す基本課題があった。更に前記開示技術には前記課題指摘した摺動円板０３外周エッジ部が床面接合部の一寸の段差や、畳縁（たたみべり）での引っ掛かり課題のため練習床面の平滑性が必要とされ、パター練習用としての基本性能が不十分であった。本願発明のＧＢＫは前記ゲーム用としての前記四大課題を良好に課題解消したものである点。
【００２１】
（７）然るに、前記記載内容を踏まえ本発明のＧＢＫをパッティング練習用とする場合の特徴点は、床の接合面における段差課題や畳縁（たたみべり）で引っ掛かり課題解消は万全である。従って、パター練習用としての打撃時の転がりの滑走スピードが抑制最適化され、且つパッティング時のＧＢＫは打撃方向に直進滑走される特性特徴から、打撃方向のコントロール技術向上を図るパター練習用としても最適効果が発揮される。更に図３の実施例１、図６の実施例３、図７の実施例４のようにＧＢＫ胴部に弾力クッション効果を備えたゴム素材のエラストマーで加工成形するか、該素材で被覆したＧＢＫ胴部（図６の図ｆ参照）は、ゴルフ用のスチール製パターで強打衝撃した際にも該エラストマーのクッション効果で衝撃が吸収されて胴部が保護されると共にパッティング打撃時の感触効果も最適なものとなる。なお、エラストマーの代りに天然ゴムを用いてもよい。
（８）本願ＧＢＫは、前記図３の実施例１〜図７の実施例４に要部構成を図示説明したように何れの実施例でも上記６項の公知技術課題を解消し、図９の添付図に示したフロアゴルフやカーリングゲーム等に、ＧＢＫを充当した際の前記ターゲットプレートＴＰの段差乗越課題を解消克服した性能説明から、前記６項における公知技術との効果差異やＧＢＫ構成要部の発明効果は十分明らかになったものと思われる。
【００２２】
（９）ＧＢＫへの装着ボールを図４、図５の実施例２、及び図６の実施例３、図７の実施例４のようにボールを交換式とした場合は、ボールに社名やロゴマーク、イベント名、名入のマイボールに入替えて販促用、ゴルフコンペ用品、記念品としても最適である。更にはホールインワンや優勝した記念ボールと入替えることで一層付加価値が高められる。
（１０）実施例の場合、ＧＢＫの全体重量（例えば、図６ｆ）：７５ｇであり、ボール重量：略４６ｇである。即ち、実施例におけるボール重量に対するＧＢＫ全体の重量比率は、略：６０％である。多くの試作実験結果からＧＢＫ本体重量を、例えば、４６ｇとして前記ボール重量比率を１：１にした場合は、ＧＢＫの滑走状態が悪くなり、ボール重量が全体重量に占める比率は、少なくとも５０％以上に設定設計することが望ましい。 
【図面の簡単な説明】
【００２３】
【図１】ゲーム用ボール組立体における機能実験モデル試作品の説明図である。
【図２】図１の機能モデルに基づく実験結果の説明図である。
【図３】実施例１：上部、胴部、底部スライダーの３部品で別体形成した実施例である。
【図４】実施例２：胴部と上部とを合体し、底部スライダーと胴部の夫々を接合形成した２部品による装着ボール交換式の構成である。
【図５】実施例２：胴部と上部とをドーム型に合体し、底部スライダーと胴部の夫々に嵌合凸部を形成した装着ボール交換式の構成である。
【図６】実施例３：底部スライダーと胴部とを合体し、胴部と押リングの夫々に嵌着凸部を形成し、エラストマー被覆を用いたボール交換式の構成である。
【図７】実施例４：エラストマー素材を用いた胴部と底部とを合体型、別体形成した摺動部を底面に敷設するようにしたボール交換式の構成である。
【図８】本発明各実施例における装着ボールの遊びガタ状況や摩擦制動の説明図面であり、ＧＢＫ発明要部の図解説明図である。
【図９】本発明のボール組立体を用い、屋内床面で実際にフロアゴルフゲームやカーリングゲームを楽しむための実施例である。
【図１０】特許文献３における開示技術を説明するための引用図面である。
【発明を実施するための形態】
【００２４】
初めに、図８は本発明要部における図解説明用の添付資料図である。以下に各実施例１〜４に共通のＧＢＫ構成要部の遊びガタや、縦方向に３ヶ所あるＧＢＫ内部の摺動位置等が一見して理解できるようにした参考図解資料を纏めて添付し、各実施例説明と関連して図８ａ〜図８ｆにおける該当図番を適宜括弧内に表示して用いる。
さて、図１以下の本願各実施例図面では構成要部や発明ポイントが、一目瞭然に理解されるよう各実施例要部の寸法を参考記載し、略原寸大の斜視図、断面図及び部分拡大断面等で適宜図示して以下に各実施図面を参照しつつ説明する。また、本願図面では各図中の同様な作用をする部分には同様な符号や、名称（用語）を記載すると共に各図の概要や要点等を図中に枠囲いで注釈記載して理解の助けとした。
本発明の具体的実施例を示した図３以降の説明に先駆け、本発明が狙いとするゲーム用ＧＢＫが備えるべき構成要素や構成機能について、先ず図１、図２を参照しつつ説明する。図１ｄは組立後の機能実験モデルＧＢＫを示し、図１ｅは図１ｄの図Ａ一Ａ線上における断面図、図１ａ〜図３ｃはＧＢＫ構成部品図を示す。そして、図１、図２の説明により「ゲーム用ボール組立体ＧＢＫ」が狙いとする発明構成要点や解消すべき機能課題等が明らかになる。
【００２５】
初めに、本願発明に用いるゴルフボールｇｂ（以下、本願ではゴルフボールｇｂのことを単にボールと称して説明することもある）について説明する。図１ｂに略現物大で示した公認ボールの主要規格を参考記載すると、ボール直径：Φ４２．６７ｍｍ（１．６２インチ）以上、重さ：４５．９３ｇ（１．６２オンス）以下として飛距離が出難い方向に規定されている。構造的にはワンピース、ツーピース、スリーピース型等の種類があり、また、該表面には空気抵抗を減らして飛距離を伸ばすための細かいディンプル（４００ヶ前後の凹み）が形成されている。近年は、カラフルで綺麗なカラーボールが普及し女子プロゴルファーらも愛用している。また、ボールを例えば、オレンジとイエローとで半々に色分け着色したツートンカラーと称するカラフルなものがあり、該ボールをＧＢＫに装着して床面に転動させた場合、２色がゴロゴロ変色されてＧＢＫ転動滑走時のゲーム面白効果が一層高められるのであり、後述の本実施例でも用いた。
【００２６】
図１ａ〜図１ｅ｛本願明細書では、各図中の（）を省略して記載する｝の各図について説明を続ける。図１ｃはＧＢＫにおけるボール装着胴部２を形成するもので、因みに各部寸法は高ｈ：２１、開口内径ｄ２：Φ５０、底穴ｄ３：Φ３５、摺動部底面１ａで形成されている。次に、図３ａ斜視図における上部３の押リング３ａは胴部２に装着したボール飛出防止用の開口部における押リングである。押リング３ａは、図１ａのように両側が開口形成されて外周部外径：ｄ２は、前記図１ｃの開口内径ｄ２：Φ５０と嵌合される寸法とされ、上部の開口部は内径ｄ１：Φ４１としてボール直径より若干小径にしてある。
【００２７】
即ち、図１ｄは前記図１ｃの胴部２にボールを装着し、該胴部２の上部３に押リング３ａを圧入嵌合した機能実験モデルＧＢＫの外観斜視図である。また、図１ｅは図１ｄのＡ−Ａ線断面を示し、装着ボールはスリーピース型の実施例である。そこで、本発明ＧＢＫの基本構成に関する各実施例の共通点に関して、図１ｄ、図１ｅを同時参照し乍らＧＢＫの三つの構成要素を説明する。図示のように、下側：底部１、中間：胴部２、上側：上部３である。ＧＢＫは、それら三つの構成要素を備えて組立体全体の機能効果が発揮される構成である。
ＧＢＫ内部に装着されたボールが自在転動される構成について、図１ｅに基づいて更に説明する。装着されたボールはＧＢＫ内部で上下及び横方向に対し略±０．５ｍｍ位の所謂遊びガタを備え、該装着ボールが３６０°方向へ遊びガタを有する態様で床面に載置した際にＧＢＫの底穴ｄ３から突出して床面に当接され、自在転動にされると共に、該ボールの牽引作用でＧＢＫ底面が床面に摺動滑走される原理である（図８ａ〜図８ｆのＧＢＫ発明要部図解図参照）。
【００２８】
そこで、該ＧＢＫ滑走時の内部における牽引動作時の状況について更に説明する。ボールは、ＧＢＫ内部でのボール転動時には図１ｅのように押リング３ａのＲ１部、又はＬ１部にボール表面が接触摺動される。即ち、ＧＢＫ滑走時は底面１ａでの床面に対する摺動摩擦抵抗に加え、内部では滑走方向に関連して押リング３ａ端ではＲ１部、又はＬ１部での摺動摩擦抵抗が作用する。ＧＢＫはそれら双方の制動作用により適宜スピードダウンが図られる。即ち、前記摺動部の素材選定や設計により該制動作用を勘案してＧＢＫ滑走時の適宜最適化が図られることを意味する。引続き図１で示したＧＢＫの機能実験モデルを用いた転動実験結果について図２と共に説明する。
【００２９】
図１のＧＢＫ機能実験モデルは、以下に説明する図２の該実験結果とも関連してＧＢＫをゲーム用とする際の諸課題を検討し、更にＧＢＫが備えるべき構成機能や条件等の模索に役立てようとする予備実験の検討用を兼ねたものである。図２は、前記図１ｄ、図１ｅと共に説明したＧＢＫに関し実際に床面ゲーム用を前提に、該胴部２に対しゴルフ用パターで打撃滑走させた際の実験結果を示す。ＧＢＫを２ｍ前後の距離狙いで胴部２を軽く打撃滑走させた場合、図２に示す横転トラブルは頻発しない。しかし、強打したり打ち損じた際は図２に示すようなトラブルが発生する。図２ｅは説明のために前記図１ｅを再度図示し、図２各図の下記説明と共にＧＢＫが備えるべき構成要素も十分明らかになる。なお、ＧＢＫをゲーム用とする際の四つの重要課題中の第一課題の胴部からのボール飛出課題は、図２ａの態様で胴部２の上部３に押リング３ａ設けたことにより良好に課題解消が図られる。
次にＧＢＫ滑走時の摩擦状況や、横転（転倒）、段差課題等の残り三つの課題について図２に共について更に説明を続ける。
【００３０】
さて、図２ａのＧＢＫを床面に載置した状態から該胴部２に図２ａの矢印Ｒ方向、又は破線矢印Ｌ方向にパター用具、又はつま先、素手により打撃した状況について図２ｂ〜図２ｅの各図を同時参照しつつ説明する。
第二：ボール転がり抑制（制動）課題、ボール転動時の摩擦抵抗と制動作用について説明する。今、図２ａにおいてＧＢＫを矢印Ｒ方向へ打撃した際、図２ｅに示すボールは床面に転動されると共にＧＢＫが右方向へ、破線矢印Ｌ方向に打撃した場合は左方向へ、装着ボールは図２ｅのように右回転（転動）又は左回転されると共に、ＧＢＫ底面は床面からの摺動摩擦抵抗を受けつつ滑走される。
一方、ＧＢＫ内部ではボールの右転動時は押リング３ａのＲ１部で、左転動時はＬ１部で夫々ボール表面部が摺動され乍ら転動されることになり、滑走時のＧＢＫ底面１ａは床面と、転動時のボールは図２ｅに示すリング３ａのＲ１部、又はＬ１部との都合二ヶ所で摺動摩擦による適宜の制動を受けつつ滑走されることになる。
【００３１】
第三：打撃滑走時の横転（防止）課題、について説明する。
前記図２において、矢印Ｒ方向やＬ方向へＧＢＫの胴部を強打し、特に胴部２を打ち損じた場合は、図２ｂや図２ｃのようにＧＢＫが右側や左側に９０°横転した状態でボール装着のまま胴部２が如何にも車輪状に転がり、更には図２ｄのように完全に転覆した転倒状態になる課題がある。該トラブルを抱えたままでは勿論ＧＢＫはゲーム用遊具としての実用化は図れない。
第四：床面滑走時の段差乗越え課題、について説明する。
前記特許文献３の説明と共に関連指摘した前記段差課題、及び前記３項における横転、転倒課題はＧＢＫをゲーム用とする場合に当然克服を要する最重要課題となる。又、ＧＢＫ滑走時の上記二つの課題は、互いに因果の関係にあり図２ｅの断面図に基づいて説明する。ＧＢＫを図示の前記Ｒ方向やＬ方向に滑走させた際、円囲いしたＲ、Ｌ部分はＧＢＫ滑走時の床面との直交縁部をなしており、０．数ｍｍ位の段差や障害物にも引っ掛かってしまう課題と共に、前記横転、転倒を引起す要因にもなる。
以上に説明したようにＧＢＫの四大課題中の第一：胴部からのボール飛出（防止）課題、及び第二：ボール転がり抑制（制動）課題、は前記図１に示した機能実験モデルで既に課題解消済みである。残り二つの課題は第三：打撃滑走時の横転（防止）課題、及び第四：床面滑走時の段差乗越え課題、である。それら二つの重要課題については、以下に課題解消を図った図３の実施例１と共にＧＢＫ発明構成要部について具体的に説明する。
【実施例１】
【００３２】
さて、本願発明が狙いとするゲーム用ＧＢＫの構成要点や課題は前記機能実験モデル説明内容から十分理解できたものと思われる。そこで、ＧＢＫの構成要部中の前記図１、図２と共通する同一構成部分に関する重複説明は図３以降では省略し、前記図１における諸課題を解消克服した構成要部や前記図１と異なる構成部分を主体的に説明する。図３の具体的実施例１での詳細説明により、実施例２以下に示す本願発明の構成要部は十分明らかになる。
【００３３】
図３ａ〜図３ｇの各図はＧＢＫの実施例１の斜視図、部分断面図等を示しおり、以下、図３の各図面を同時参照し乍ら実施例１の構成要部を説明する。先ず、図３ｅは各構成部品を図３ａ〜図３ｄに示す４点の部品で組立したＧＢＫの外観斜視図を示し、図３ｆは図３ｅのＣ一Ｏ一Ｃ線における断面図を示す。因みに組立てしたＧＢＫの図３ｅ、図３ｆは前記図１の機能実験モデル同様、本実施例１でも底部１、胴部２、上部３の三つの要素を備えて構成されている。
そこで、前記実施例１の各部品の図３ａ〜図３ｄに戻って説明すると、図３ａ、図３ｂは前記図１で説明した押リング３ａ、図３ｂのボールは図３ｆ断面図ではスリーピース型を例示している。なお、押リング３ａは上下を開口せず、ボールより小径開口した上側をドーム状にして透明体で形成して用いてもよい。
本実施例１における図３ｃの胴部２は、エラストマーで射出成形したゴム素材からなり胴部２に弾力性を備えた実施例である。なお、エラストマー所謂、熱可塑性のエラストマーＴＰＥは、耐摩耗性、弾力性に優れ、軽量で、椅子脚、吸盤、マット等に多用されている。本願ではエラストマー素材を塗潰して表示する。次に図３ｄに示すスライダー４の実施例１について説明する。なお、本実施例では弾力性素材をエラストマーに限定することなく、例えば、エラストマーの代りに天然ゴムを用いても同じ効果が得られる。
【００３４】
図３ｃの胴部２（エラストマー）の各部寸法は、前記図１ｃに準じており説明を省略する。そこで、本発明ＧＢＫの胴部２の底面１ａに敷設して床面との摺動部を形成し、前記第三、第四項の残る二つの重要課題解消を一挙に図ろうとする実施例１のスライダー４について図３ｄと共に説明する。本実施例１のスライダー４は胴部２と、別体形成により、ポリプロピレン（ｐｐ）、ポリカーボネィト（ｐｃ）等の素材で成形されている。ＧＢＫ組立時は、図３ｆの断面図のように胴部２における底面１ａの底穴ｄ３にスライダー４の底穴ｄ３を合致させ、スライダーの接着面４ｂを胴部２に対して合体固着する構成である。そして、胴部２の底面１ａに敷設したスライダー４により、前記第三、第四項の課題解消を図ったＧＢＫ発明要部構成について、図３の実施例１に基づいて更に説明する。
【００３５】
第三：打撃滑走時の横転（防止）課題、について説明する。
前記図２と共に説明したＧＢＫ機能実験モデルでは、図２ａの床面との摺動底面１ａが胴部２と筒状同径の儘を摺接面として滑走させた結果、図２ｅに示すＲ部、Ｌ部の摺動縁部が床面と垂直状エッジ部をなした構成に起因してＧＢＫ滑走状況が一層不安定になり、打撃時に図２ｂ〜図２ｄのような横転、転倒課題が生じた。
そこで、上記課題に鑑みて図３の実施例１では胴部２エラストマーの底部外径ｄ６：Φ５８に対し、スライダー４の外周部外径ｄ４：Φ８０として摺動面を大径に拡大実施した結果、所謂、ＧＢＫ座り時の重心が低くなり、打撃滑走時の横転課題が解消された。更に前記床面滑走時の段差乗越え課題解消を目的として、スライダー４の摺動外周縁部を図３ｄ、図３ｇのように上部外側に向かって傾斜する円弧形状で形成した相乗効果により、ＧＢＫの滑走状況が飛躍的に安定化し、前記図２と共に説明した滑走時の横転や転倒課題が良好に解消された。
ところで、スライダー４外径はΦ１２０前後と更に大径にしても機能目的は果せるが、図９のようなゲーム時、フロアに複数のＧＢＫを散乱滑走したケースを勘案すると明らかなように、スライダー外径を必要以上に大径化すると滑走路を塞ぐ支障がある。多くのゲームテスト結果から、スライダーの外径寸法はΦ７０〜Φ１００が好適であった。本実施例ではゲーム機能、取扱い、携帯性等を勘案結果からスライダー外径ｄ４：Φ８０として実施し満足な結果を得ている。
【００３６】
ＧＢＫをゲーム用に適用する際の残る重要課題である前記段差課題について、図３の実施例１の具体的実施例と共に説明する。
第四：床面滑走時の段差乗越え課題、について説明する。
前記特許文献３、及び図１、図２で前記した機能実験モデルＧＢＫでは、床面に滑走させた際に底面摺動縁（エッジ）部が床面と垂直直交状であったことに起因し、床面に僅かの段差や畳縁部での滑走時に該段差部で引っ掛かる課題があった。しかし、本願発明が狙いとするゲーム用ＧＢＫでは、前記図３ｄ〜図３ｇのようにスライダー４の摺動外周縁部（断面）を上部外側に向かって傾斜する円弧形状で形成したことにより、前記図９に示したターゲットプレートＴＰ：２ｍｍ厚（ＣＤ板段差障壁）を床面上に載置（配設）した場合にも、該床面段差（障壁）をＧＢＫ滑走時に十分乗越え得る要部機能構成となった。即ち、前記第三：打撃滑走時の横転（防止）課題、と共に本願発明が最重要課題として取組んだ前記第四：床面滑走時の段差乗越え課題、を含め、ＧＢＫをゲーム用とするための前記諸課題を一挙に解消克服し、良好に初期目的が果せるＧＢＫ構成となった。
【００３７】
以上図３の実施例１の説明でＧＢＫの発明構成要部は、十分明らかになったものと思われる。ここで、前記図３の実施例１における参考事項に関して補足記載する。前記実施例１における図３ｃの胴部２はエラストマーで形成した実施例を示した。ＧＢＫの胴部２をエラストマーで形成した場合、胴部２が弾力によるクッション効果を備えて保護される特徴がある。即ち、胴部２を金属製パターで強打した際等にも該弾力吸収効果で胴部損傷が防止されと共に打撃時の感触も良好なものとなる。
ところで、エラストマーはゴム素材のため摺動摩擦抵抗が極端に大きいのであり、例えば、前記図３ｃのエラストマー地肌に直接ゴルフボールを装着させて態様で、前記実施例１のように床面に転動、摺動、滑走させる構成とした場合は該摺動摩擦抵抗のため、ボールは殆ど転動されずＧＢＫは摺動滑走されないのである。即ち、エラストマー地肌にボールを直接摺動、又は床面にエラストマー地肌を直接摺動させる構成では、ＧＢＫの滑走目的が果せないのである。そのため、前記図３ｅ、図３ｆの実施例１、及び後述する図６の実施例３、図７実施例４では前記エラストマーが床面やボールに対し、少なくとも転動時や滑走時は、該エラストマーと直接接触摺動されないよう配慮した要部構成とした（添付図８のＧＢＫ発明要部図解図参照）。引続き図４の実施例２について説明する。
【実施例２】
【００３８】
図４ａ〜図４ｇの各図はＧＢＫの実施例２を示し、図４ａ〜図４ｃは構成部品の斜視図、図４ｄは組立したＧＢＫの斜視図、図４ｆは図４ｄにおけるＤ一Ｄ線上のボールを含まない拡大断面、図４ｇは図４ｄにおけるＥ一Ｅ線上の断面図を夫々示す。本実施例２の特徴は前記図３の実施例１の構成部品がボール込で４部品であったのに対し、本実施例２では３部品で構成した点である。即ち、実施例２では図４ａの外観斜視図のように前記実施例１で示した胴部２と上部３（図３の押リング３ａ）とを、図示のように一つの部品に開口ドーム型５として合体し、本願では（合体）開口ドーム型５と称して説明する。先ず、該開口ドーム型５について図４ａに基づいて説明する。
４ａに示す開口ドーム型５は、内部が透けて見えるようＰＰやＰＣ等の樹脂素材により透明体で成形して用いてもよいが、図６ｃと共に後述するエラストマー被覆筒で胴部を被覆実施してもよい。該開口底部５ｂは、図４ｃに示すスライダー４の底穴ｄ３：Φ３５の外周部に設けた立設部４ｆ（Φ４５）に対し、前記開口ドーム型５の胴部２内径ｄが係合される寸法で形成する。即ち、開口ドーム型５下端の内周面には図示のように９０°間隔でねじ５ｄを形成し、スライダー４の４ｄねじと前記開口ドーム５ｄねじとを、図４ｆ断面図のようにねじ止め嵌合される構成である。又、開口ドーム型５（胴部２）の開口ドーム形状５ａは、内径ｄ１：Φ４１で開口形成され、図４ｄのように組立後は該開口ドーム５の上部から装着ボールの一部が図示のように突出される。
【００３９】
次に図４ｃのスライダー４について説明する。実施例２のスライダー４の前記実施例１の図３ｄとの相違点は、図４ｃのスライダー４では底穴ｄ３：Φ３５外周部に外径ｄ：Φ４５の立設部４ｆを設けると共に、該周面部に前記開口ドーム型５ａにおける５ｄねじに係合させる４ｄねじを備えたことである。その他の外形寸法は前記実施例１に準じたものである。実施例２の組立時はボールをスライダー４の底穴ｄ３に載置した状態から、開口ドーム型５（胴部２）の開口底部５ｂをスライダー４の立設部４ｆに係合させ、双方の４ｄ、５ｄを締め付けると図４ｄ、図４ｇのＧＢＫ組立体が完成する。図４ｆは組立後の図４ｄにおけるＤ一Ｄ線上のボールを含まない拡大断面を示し、前記スライダー４の摺動外周縁部に形成された円弧形状４ｃの断面形状と、前記４ｄ、５ｄの係合状態を拡大した断面図である。図４の実施例２について引き続き説明する。
【００４０】
前記のようにスライダー４の外周縁部が円弧形状４ｃとされ、図４ｆに示す断面円弧形状４ｃとした構成効果は、前記図３の実施例１で説明した同様の機能効果が発揮される。そして、本実施例２による構成特徴はＧＢＫの組立に接着や工具を一切用いることなく、二つの構成部品のねじ部着脱のみでＧＢＫのボール交換をユーザーが自在に行えて、ロゴマークやイベント名入りボールを装着して販促用としたり、ユーザーがマイボール、ゴルフコンペ時の記念ボールとの入れ替え交換が自在に行える特徴効果がある。
次に、図５は前記図４に示した前記実施例２における構成内容の一部分を変形した実施例２であり、図５に基づいて説明する。
【００４１】
前記図４と共に説明した前記実施例２を変形した変形実施例２について説明する。図５ａ〜図５ｆの各図は、ＧＢＫの前記図４に示した実施例２における構成要部の一部を変形した別の実施例２である。図５ａ〜図５ｃは構成部品の斜視図、図５ｄは組立後のＧＢＫ斜視図、図５ｅは図５ｄのＦ一Ｆ線上の一部拡大断面、図５ｆは図５ｄにおけるＧ一Ｇ線上の断面図を夫々示す。本実施例２の構成特徴は、前記図４実施例２の構成同様にボール込で３部品により構成したＧＢＫである。即ち、本実施例２では図５ａの外観斜視図のように前記実施例１で示した胴部２と上部３（図３の押リング３ａ）とを一つのドーム形状６ａに合体したもので、本願では該合体型をドーム型６と称して説明する。本実施例２ではドーム型６とスライダー４部とを前記実施例２のように、ねじ式で脱着嵌合するように形成してもよいが、本実施例ではねじ式に代えて、スライダー４の立設部４ｆにおける嵌合凸部４ｅに係合させる構成としてドーム形状６ａの開口下端の内周面に嵌合凸部６ｅを形成し、双方の凸部同士で合体嵌合するようにした構成である。
【００４２】
即ち、図５の実施例２組立時は、先ずボールをスライダー４の底穴ｄ３に載置し、ドーム型６の開口底部６ｄをスライダー４の立設部４ｆと筒軸を合せ、ドーム型６の上部から加圧して双方の嵌合凸部４ｅと、嵌合凸部６ｅとを図５ｅ、図５ｆの態様で嵌合構成する。そして、図６ｄ、図６ｆのように組立後のＧＢＫは前記実施例２同様、装着ボールはドーム形状６ａ（胴部２）内部で上下及び横（Ｒ３部やＬ３部）方向に略±０．５の遊びガタを設けた寸法関係で設定構成する（添付図８のＧＢＫ発明要部図解図、図８ｂ、図８ｃ図８ｆ参照）。
なお、本実施例２ではＧＢＫ滑走時の装着ボールが、組立体内部での接触摺動される部分（ボール転動時の接触ヶ所）を図５ｃ、図５ｅに示すスライダー４の立設部４ｆのＲ３及びＬ３となるように設計実施（図８ｆ参照)している。また、本実施例２は装着ボールの自在交換式であり、ボール交換時は前記底穴ｄ３からボールを上部に押出すように圧接することで、ドーム型６とボールとが同時に離脱されてボール交換ができ前記図４の実施例２と同様な構成効果が発揮される。
また、前記スライダー合体型９胴部２における凸部２ｄと、押リング３ａにおける凸部３ｂの嵌合接合部は前記図４の実施例２のように、ねじ嵌合式に形成してもよい。
【実施例３】
【００４３】
図６ａ〜図６ｇの各図はＧＢＫ実施例３である。図６ａ〜図６ｄは構成部品の斜視図を示し、図６ｅ、図６ｆは組立後のＧＢＫの斜視図、更に図６ｇは組立後の図６ｅや図６ｆのＧ一Ｇ線上の断面図を各々示す。そこで、図６の実施例３には胴部２にエラストマーで形成した被覆筒７を用いた実施例３と、該被覆筒７を用いない実施例３の二通りがある。初めに、該被覆筒７を用いない実施例３について説明する。本実施例３では図６ａに示す押リング３ａには、図６ｄの合体型スライダー９の胴部２と嵌合合体させるための嵌合凸部３ｂを外周面に形成してある。他の外形寸法は前記図３の実施例１と同じである。即ち、図６ｄは前記実施例における胴部２と前記図３におけるスライダー４とを一つに合体した所謂、スライダーと胴部２の合体型９である。該内周面には前記押リング３ａの嵌合凸部３ｂと係合して押リング３ａを該上部に装着するための嵌合凸部２ｂが形成してある。組立時は、ボールをスライダー合体型９の胴部２に先ず装着し、上から押リング３ａを該合体型９の開口部から圧着すると双方の嵌合凸部２ｂと３ｂとが、図６ｇにおける嵌合凸部２ｂ／３ｂのように嵌合され、ボール込で３部品による図６ｅのＧＢＫ組立体ができ上がる。そして、図６ｅのように組立後のＧＢＫは前記各実施例と同様の機能効果が発揮される。
なお、前記スライダー合体型９の胴部２における凸部２ｄと、押リング３ａにおける凸部３ｂの嵌合接合部は前記図４の実施例２のように、ねじ嵌合式として形成してもよい。
【００４４】
次に、図６の実施例３に対して胴部２に被覆筒７（エラストマー）を被せた実施例３について説明する。図６ｃにおける被覆筒７は前記エラストマー素材により内径：Φｄ５で成形され、パター等でＧＢＫが強打された際に該胴部２をエラストマー弾性体で保護するように形成した被覆用サポーターである。そこで、前記合体型９の胴部２に対して被覆筒７（エラストマー）を被せて用いる場合は、胴部２に対して被覆筒７を先に被せてからボールを装着組立すればよく、この実施例ではボール込みで４部品による構成となる。また、装着ボール交換時は前記実施例と同様にスライダー４の底穴ｄ３からボールを押出すように行えばよい。
そして、図６ｆは該被覆筒７を図６ｄの胴部２に被覆形成したＧＢＫ組立であり、図６ｇにおけるＧ一Ｇ線上の断面図上では被覆筒断面部分を破線で示している。なお、被覆筒７は前記した他の実施例に被覆した場合にも同様効果が発揮される。引続き図７の実施例４について説明する。
【実施例４】
【００４５】
図７ａ〜図７ｋの各図は実施例４を示す。図７ａは組立後のＧＢＫ、図７ｂは前記図７ａを転倒させた底面図、図７ｃは摺動部材１０ａを図示形態でディスク上に一体形成したディスク板１０の底面図、図７ｄは図７ａにおけるＨ一Ｈ線上の断面を夫々示す。図７の各図に示す実施例４は、底プレート８ａ（底面８ｃ）と胴部８ｂとを一つにしたエラストマー合体型８である。即ち、エラストマー素材でＧＢＫ主要構成部を一体で射出成形し、ＧＢＫ全体に弾力性を備えることで耐衝撃効果が一層発揮される構成とした実施例４である。
然るに、ＧＢＫをエラストマー素材で形成する場合は前記したように該組立体が床面や該装着ボールが該地肌に対し、少なくとも滑走時には直接接触されない構成が必要である。本実施例４に関して要部構成絡みの該課題を図７ｄ断面図で説明すると、ＧＢＫ滑走時に装着ボールが組立体に摺動される部分は押リングのＲ１部とＬ１部分のみとされ、更に床面との摺動部分は下記各実施に示す摺動部が担うよう別体構成として、課題解消を図った実施例４である。次にＧＢＫの底面８ｃに設ける別体形成した摺動部の各実施例について図７の各図と共に説明する。
【００４６】
図７の実施例４では、エラストマー合体型８としてＧＢＫ要部を構成したことに関連して、特にエラストマー合体型８の底面８ｃに設ける摺動部の変形実施例について説明する。
先ず、図面７ｂ、図７ｃ、図７ｆ、図７ｇ各図は裏返した底面図を示し、更に図７ｅ、図７ｈ、図７ｋの各断面図は前記図の当該部分を裏返した状態から更に復元した状態の断面図を示している。そこで、ＧＢＫ底部の底面摺動部における変形実施例につて説明する。
円弧状に突起した少なくとも３個以上の摺動部材により、底面摺動部を形成する実施例について図７の実施例４と共に併用実施した構成例について説明する。
図７ａ、及び図７ｂは図７ｂ図の上側に示した球状摺動部材８ｅや半球状摺動部材８ｆ(樹脂・金属製等、Ｒ３位が適当)を用いて摺動部を構成したＧＢＫの組立後の斜視図、及びＨ一Ｈ線上の断面図を示した実施例４である。本実施例では図７ｂに図示するように、底面８ｃの外周縁部に９０°間隔で前記摺動部材用の埋設穴８ｄ（４ヶ）を設け、上記摺動部材８ｅや、８ｆを図示のように埋設する。摺動部が円弧状に形成された摺動部材８ｅ、８ｆ担体を接着剤で固着するか、エラストマーの弾力を利用して圧入加工する。
【００４７】
図７ｄのＨ一Ｈ線上の断面図に示した車輪形状部分（４ヶ）が前記球状摺動部材８ｅを埋設した際の断面を示す。一方、図７ｃはディスク板１０裏面側に図示のように円弧状の半球状（突起）摺動部材１０ａを図示のように４ヶ形成した摺動部実施例であり、前記エラストマー合体型８の底面８ｃに対して該ディスク板１０毎を敷設構成する。図７ｂ、図７ｃのＫ一Ｋ線断面は何れも図７ｅのような円弧形状になる。そして、前記実施例１以降に示した摺動外周縁部が上部外側に向かって、傾斜する円弧形状に備えた摺動部同様、円弧状に突起した３個以上の摺動部材１０ａをＧＢＫ底面に図７ｂ、図７ｃのように所定間隔で配設した摺動部構成により、前記実施例と同様な機能効果が発揮されて摺動部の機能目的が良好に果せる。なお、図７ｅにおける円弧Ｒ：４〜で形成すると好ましい。
【００４８】
図７の実施例４に関連して摺動部を別体形成した他の実施例について説明する。
図７ｆは、５ｍｍの肉厚さを有する底面用プレート１１で形成した外周縁部１１ａにおいて、Ｌ一Ｌ線上の断面が図７ｈのような円弧形状、又は図７ｋのような直線形状により上部外側に向かって傾斜形成した摺動部を備え、前記エラストマー合体型８の底面８ｃに対して該底面用プレート１１毎を前記エラストマー合体型８の底面８ｃに対して、前記実施同様に敷設構成する。前記図３で説明した実施例１のスライダー４外周縁部に、円弧形状に形成した実施例同様の構成効果が発揮される。
図７ｇは、前記実施例１における前記図３ｄを裏返したスライダー４の底面図を示し、前記合体型８の底面８ｃ底穴ｄ３に対し、スライダー４の底穴ｄ３を合致させて接着面４ｂ（図示の逆面側）を接着するか、スライダーに突起部を形成して合体型８の底面８ｃに加工した前記埋設穴８ｄに圧入するように構成してもよい。図７の合体型エラストマー８の底面８ｃに敷設構成して用いた場合にも前記実施例１で説明したスライダー４の円弧形状４ｃと同様な摺動部となり機能効果が発揮されることは勿論である。
【００４９】
終わりに、以上に説明した本願発明に基づく「ゲーム用ボール組立体ＧＢＫ」を用いて、本出願人が実際に孫や家族らと楽しんでいるゲーム例、即ちフロアゴルフ及びカーリングゲームの実施例に関して添付図９と共に概要説明する。該ゲーム例説明によって前記ＧＢＫに対する理解や価値評価が深まるものと思われる。
最初に、図９（ａ）の中央部に掲載したターゲットプレートＴＰの実施例について説明する。ＣＤ、ＤＶＤ用ディスク（ポリカーボネィト：ＰＣ製）は、外径：Φ１２ｃｍ、厚：１．２ｍｍ、穴径：Φ１５ｍｍと、サイズ／品質／コスト的にＧＢＫゲーム用ＴＰとするのに最適である。該ＣＤ板に対し、例えば図９のｆｌｏｏｒ  ｇｏｌｆとした記載面に、スコアゾーンを円形色分けし、スコア、ルール等を例えば、図示のように記載表示したラベルシールを制作貼着(又は直接印刷)する。そして、前記ＴＰを床面に配設載置した際の滑り防止のため該ＣＤ板の裏面側には滑止用シートを貼着する。なお、ゲームルールはＴＰ表記ルールを基本として図９の記載事項を参考に、更には必要に応じてプレイヤー同士で適宜ローカルルールを決めて楽しくゲームを行う。ＧＢＫを用いて老若男女が床面で楽しめるフロアゲームの代表例について、以下に参考記載する。
【００５０】
●フロアゴルフゲームの実施例概要について説明する。
（１）図９に示すように前記ＴＰをフロアスペースに応じ、例えば２ｍ間隔位の四角形位置に４ヶＴＰを配置し、２〜４名のプレイヤー各自が１個宛のＧＢＫ（スライダー部を４色分用意）を用い、プレーは、パター道具／つま先／素手を使い、図９（ｂ）のように各ＴＰセンタ穴（Φ１５ｍｍ）にＧＢＫボールをセットし、ＴＰのホールインワン(ホール)を目指して、順次スタートショットする。
（２）例えば、フロアゴルフを９Ｈ（ホール）回る場合は、図９に図示するように初め右回りに、ＴＰ１⇒ＴＰ２⇒ＴＰ３⇒ＴＰ４⇒ＴＰ１（折返）⇒ＴＰ４⇒ＴＰ３⇒ＴＰ２⇒ＴＰ１⇒（対角ホール）ＴＰ３…９Ｈのホールアウトである。更に、１８Ｈにチャレンジする場合は、例えば、ＴＰ３⇒ＴＰ２⇒ＴＰ１⇒ＴＰ４⇒ＴＰ３（折返）⇒ＴＰ４⇒ＴＰ１⇒ＴＰ２⇒ＴＰ３⇒（対角ホール）ＴＰ１…１８Ｈのホールアウト終了である！
【００５１】
●カーリングゲーム形式の概要説明。
図９（ａ）の４ヶのＴＰ配置のまま、ＧＢＫをストーン、ＴＰをハウスに見立てて、例えば二人のプレイヤーが夫々４ヶ宛のＧＢＫ（ストーン）を用い、カーリング形式で４ヶ所のハウスを移動しながらスコアを競うゲームである。なお、カーリング形式のゲーム時は、ＴＰの記載点数：１→１００、２→２０、３→３点としてルール改定して行う。
終わりに参考記載すると、本出願人はＧＢＫのフィールドテストを兼ねて自ら学童孫らと、前記ルールに基づく二通りのゲーム体験を行っているが、孫らの“今日もフロアゴルフ、カーリングゲームしょう！…”などとの誘い呼び掛けに即応して、一緒に童心に戻り、孫らとオジー・オバーが和気藹々目下“ＧＢＫゲームにハマッテいる”のが実情である。更にボーリング形式ゲームへの展開も面白そうであり、目下該ピン立て方法などを鋭意検討中である。
なお、ＧＢＫの改良案として、前記図９説明したターゲットプレートＴＰの例えば１×打数と記載した中央円部分に薄型ドーナツ状（強磁力の希土類）磁石を埋設することに対応して、ＧＢＫスライダー底部の図７ｃ底穴ｄ３外周部に、薄い円環状の磁性金属を固着することで、ＧＢＫとＴＰ双方の中央部を磁気的に吸着させる構成とする場合は、ホールインワンの確率が高まると共にスコア判定が明確化される効果もあり、該磁力を利用して変形構成で実施することも可能である。
【符号の説明】
【００５２】
ＧＢＫ  ゲーム用ボール組立体
Ｒ１〜  ボール右転動時の摺動部
Ｌ１〜  ボール左転動時の摺動部
１      底部
２      胴部
３      上部
３ａ    押リング
４      スライダー      
４ｃ    円弧形状  
５      合体開口ドーム型
６      合体ドーム型
７      被覆筒（エラストマー）
８      エラストマー合体型
８ｅ    球状摺動部材
８ｆ    半球状摺動部材
９      スライダー（胴部）合体型
【手続補正２】
【補正対象書類名】特許請求の範囲
【補正対象項目名】全文
【補正方法】変更
【補正の内容】
【特許請求の範囲】
【請求項１】
内部にゴルフボールを転動自在に装着したボール組立体であって、上部、胴部、底部の各部が下記のように形成されてなる。
（１）胴部は筒状に形成され、ボール組立体の底部と上部の中間部にあって該胴部全体を弾力性のゴム素材で形成すると共に、該胴部の内径をゴルフボールより大径で形成したこと、
（２）底部は胴部の下端に設けられ、該底部に備えた底面の中央部にゴルフボール直径より小径の底穴を設けてゴルフボールの一部分を突出させ、且つ、該底部は前記胴部の外径より大径として外周縁部が斜め上に向かって、円弧状に折り返す形状としたスライダーを該底部に敷設すると共に、該スライダーの該外周縁を摺動部として形成したこと、
（３）上部は胴部の上端に設けられ、両端が開口形成されると共に該上端側がゴルフボールより小径で形成した押リングを用い、ゴルフボールが前記ゴム素材による前記胴部に接触されることなく転動されるように形成したこと、
以上（１）〜（３）の各項を具備したことを特徴とするゲーム用ボール組立体。
【請求項２】
前記胴部全体が弾力性のゴム素材で形成された前記ボール組立体を打撃し、フロアに該ボール組立体を滑走させた際に、内部に装着したゴルフボールが下記のように転動される。
（１）前記上部に設けた前記押リングの上端が開口した内周縁（Ｌ１、Ｒ１）で、ボールの上部が接触して転動されるように形成したこと、
（２）前記押リングの下方における内周部分（Ｌ２、Ｒ２）、又はスライダーから立設した筒状部の内周部分（Ｌ２、Ｒ２）で、ボールの中央部が接触して転動されるように形成したこと、
（３）前記ボール組立体の底部に敷設したスライダーの前記底穴縁（Ｌ３、Ｒ３）で、ボールの下部が接触して転動されるように形成したこと、
以上（１）〜（３）の各項に記載するボール組立体の内部において、樹脂素材で形成した上中下の３ヶ所の内周縁、又は内周部分の何れか一ヶ所の所定位置でゴルフボールが接触して転動されるように形成したことを特徴とする請求項１に記載のゲーム用ボール組立体。
【請求項３】
（１）前記胴部はゴルフボールより大径とし、弾力を有するゴム素材により両端開口の被覆筒として形成したこと、
（２）前記底部のスライダーには、該スライダーにおける底穴の周辺部に対してゴルフボールより大きい内径を有し、外径が前記ゴム素材で形成した前記被覆筒の内径に嵌合されるようにした円筒状の胴部を立設形成すると共に、該胴部の上方に押リングとの接合用の嵌合部を形成したこと、
（３）前記上部に設けた押リングに対し、前記スライダーから立設した胴部上方に設けた嵌合部との接合用の嵌合部を形成したこと、
以上（１）〜（３）の各項を具備して形成され、前記スライダーから立設した前記胴部にゴルフボールを装着し、前記スライダーの該胴部に対して前記ゴム素材の被覆筒を被せると共に、前記胴部と押リングの嵌合部を合体形成するようにしたことを特徴とする請求項１に記載のゲーム用ボール組立体。
【請求項４】
（１）前記胴部はゴルフボールより大きい内径とし、弾力を有するゴム素材により両端開口の被覆筒として形成したこと、
（２）前記底部のスライダーには、該スライダー底穴の周辺部にゴルフボールより大きい内径の立設部を設けると共に、該立設部の外周部に前記上部との接合用の嵌合部を形成したこと、
（３）前記上部に設けた押リングが開口ドーム型をなし、下方を円筒状とした胴部の内径をゴルフボールより大径とすると共に、該胴部外径をゴム素材で形成した前記被覆筒の内径に嵌合するように形成し、さらに、該胴部の下方に前記スライダーに設けた立設部の外周部との接合用の嵌合部を形成したこと、
以上（１）〜（３）の各項を具備して形成され、前記スライダーから立設した前記立設部にゴルフボールを装着し、該立設部に形成した嵌合部に対して前記上部の開口ドーム型における嵌合部を合体形成すると共に、該合体した胴部に前記ゴム素材の被覆筒を被せるように形成したことを特徴とする請求項１に記載のゲーム用ボール組立体。
【請求項５】
（１）前記胴部はゴルフボールより大きい内径とし、弾力を有するゴム素材により両端開口の被覆筒として形成したこと、
（２）前記底部のスライダーには、該スライダー底穴の周辺部にゴルフボールより大きい内径の立設部を設けると共に、該立設部の外周部に前記上部との接合用の嵌合部を形成したこと、
（３）前記上部に設けた押リングがドーム型をなし、下方を円筒状とした胴部の内径をゴルフボールより大きい径とすると共に、該胴部外径をゴム素材で形成した前記被覆筒の内径に嵌合するように形成し、さらに、該胴部の下方に前記スライダーに設けた立設部の外周部との接合用の嵌合部を形成したこと、
前記（１）〜（３）の各項を具備して形成され、前記スライダーから立設した立設部にゴルフボールを装着し、該立設部の嵌合部に対して前記上部のドームにおける嵌合部を合体形成すると共に、該合体した胴部に前記ゴム素材の被覆筒を被せるように形成したことを特徴とする請求項１に記載のゲーム用ボール組立体。